(57)【要約】  本発明は、古紙を随意に非アルカリ性又は低アルカリ性系において脱インキするための方法及び組成物に関する。脂肪酸とアルコキシル化脂肪アルコール及び／又はアルコキシル化脂肪酸との配合物を含む脱インキ用組成物が提供される。該組成物は、第２アルコキシル化脂肪アルコール及び／又は第２アルコキシル化脂肪酸を更に含み得る。カチオン性ポリマーのようなカチオン性誘導体もまた、脱インキ用配合物に添加され得る。【特許請求の範囲】
【請求項１】
古紙を脱インキする方法であって、次の工程すなわち
ａ）古紙を非アルカリ性又は低アルカリ性パルプスラリーに変換し、
ｂ）このパルプスラリーを、
（１）第１脂肪酸、並びに
（２）第１アルコキシル化脂肪アルコール及び／又は第１アルコキシル化脂肪酸
を含む脱インキ用配合物と接触させ、そして
ｃ）洗浄及び／又はフローテーションによりこのパルプスラリーからインキを分離する
工程を含む方法。
【請求項２】
古紙が、古新聞紙及び／又は古雑誌等級古紙を含む、請求項１に記載の方法。
【請求項３】
フローテーションによりパルプスラリーからインキを分離する、請求項１に記載の方法。
【請求項４】
工程ａ）におけるパルプスラリーが、約６．０から約８．８のｐＨを有する、請求項１に記載の方法。
【請求項５】
工程ａ）におけるパルプスラリーが、約６．８から約７．２のｐＨを有する、請求項１に記載の方法。
【請求項６】
脱インキ用配合物が、２２℃それ以上の温度において液体である、請求項１に記載の方法。
【請求項７】
第１脂肪酸が、アルコキシル化されていない、請求項１に記載の方法。
【請求項８】
第１脂肪酸が、２０ｗｔ％より多い少なくとも１６個の炭素原子を有する脂肪酸及び６０ｗｔ％より少ない１４個又はそれ以下の炭素原子を有する飽和脂肪酸を含む、請求項１に記載の方法。
【請求項９】
第１脂肪酸が、２０ｗｔ％より多い少なくとも１６個の炭素原子を有する脂肪酸及び６０ｗｔ％より少ない１４個又はそれ以下の炭素原子を有する脂肪酸を含む、請求項１に記載の方法。
【請求項１０】
第１脂肪酸が、６から２０個の炭素原子を含む、請求項１に記載の方法。
【請求項１１】
第１脂肪酸がトール油脂肪酸である、請求項１に記載の方法。
【請求項１２】
配合物が、（１）及び（２）を約１：９９から約９９：１の重量比にて含む、請求項１に記載の方法。
【請求項１３】
配合物が、（１）及び（２）を重量により約１５：８５から約５５：１５の重量比にて含む、請求項１に記載の方法。
【請求項１４】
配合物が、（１）及び（２）を重量により約１：２から約２：１又は約３：１の重量比にて含む、請求項１に記載の方法。
【請求項１５】
脱インキ用配合物が第１アルコキシル化脂肪アルコールを含む、請求項１に記載の方法。
【請求項１６】
脱インキ用配合物が第１アルコキシル化脂肪アルコールを含み、そして第１アルコキシル化脂肪アルコールが式
Ｒ−Ｏ−［（ＣＨ2−ＣＨ2−Ｏ）n−（ＣＨ2−ＣＨ（ＣＨ3）−Ｏ）m］−Ｈ
〔ａ）ここで、
ｂ）Ｒは、直線状又は分枝状アルキル基であり、
ｃ）ｎは、約５から約４０であり、
ｄ）ｍは、約０から約２０であり、そして
ｅ）ｎ個の−（ＣＨ2−ＣＨ2−Ｏ）−単位及びｍ個の−（ＣＨ2−ＣＨ（ＣＨ3）−Ｏ）−単位は、任意の順序又は序列にてブロック又はランダム形態に配置される〕
を有する、請求項１に記載の方法。
【請求項１７】
Ｒが、Ｃ６からＣ２０アルキルである、請求項１６に記載の方法。
【請求項１８】
脱インキ用配合物が第１アルコキシル化脂肪アルコールを含み、そして第１アルコキシル化脂肪アルコールが少なくとも５モルのエトキシル化を含む、請求項１に記載の方法。
【請求項１９】
脱インキ用配合物が第１アルコキシル化脂肪アルコールを含み、そして第１アルコキシル化脂肪アルコールのアルコール部分が６から２０個の炭素原子を含む、請求項１に記載の方法。
【請求項２０】
脱インキ用配合物が、第１アルコキシル化脂肪酸を含む、請求項１に記載の方法。
【請求項２１】
脱インキ用配合物が第１アルコキシル化脂肪酸を含み、そして第１アルコキシル化脂肪酸が式
Ｒ2−Ｃ（Ｏ）Ｏ−［（ＣＨ2−ＣＨ2−Ｏ）p−（ＣＨ2−ＣＨ（ＣＨ3）−Ｏ）q］−Ｈ
〔ここで、
ａ）Ｒ2は、少なくとも６個の炭素原子を含む直線状又は分枝状アルキル基であり、
ｂ）ｐは、約５から約４５であり、
ｃ）ｑは、約０から約３０であり、そして
ｄ）ｐ個の−（ＣＨ2−ＣＨ2−Ｏ）−単位及びｑ個の−（ＣＨ2−ＣＨ（ＣＨ3）−Ｏ）−単位は、任意の順序又は序列にてブロック又はランダム形態に配置される〕
を有する、請求項１に記載の方法。
【請求項２２】
Ｒが、Ｃ６からＣ２０アルキルである、請求項２１に記載の方法。
【請求項２３】
脱インキ用配合物が第１アルコキシル化脂肪酸を含み、そして第１アルコキシル化脂肪酸が少なくとも５モルのエトキシル化を含む、請求項１に記載の方法。
【請求項２４】
脱インキ用配合物が第１アルコキシル化脂肪酸を含み、そして第１アルコキシル化脂肪酸の脂肪酸部分が６から２０個の炭素原子を含む、請求項１に記載の方法。
【請求項２５】
配合物が、水又は他の希釈剤を更に含む、請求項１に記載の方法。
【請求項２６】
配合物が、約０から約２５重量％の水又は他の希釈剤を更に含む、請求項１に記載の方法。
【請求項２７】
脱インキ用配合物が、第２アルコキシル化脂肪アルコールを更に含む、請求項１に記載の方法。
【請求項２８】
配合物が、第２アルコキシル化脂肪酸を更に含む、請求項１に記載の方法。
【請求項２９】
パルプスラリーからインキを分離する前又は分離中にフローテーション用添加剤をスラリーに添加することを更に含む、請求項１に記載の方法。
【請求項３０】
ケイ酸ナトリウム若しくは亜硫酸ナトリウム又はそれらの組合わせをパルプスラリーに添加することを更に含む、請求項１に記載の方法。
【請求項３１】
フローテーション前又はフローテーション中にカチオン性添加剤をスラリーに添加することを更に含む、請求項１に記載の方法。
【請求項３２】
フローテーション前又はフローテーション中にカチオン性ポリマーをスラリーに添加することを更に含む、請求項１に記載の方法。
【請求項３３】
フローテーション前又はフローテーション中にカチオン性ポリアミンをスラリーに添加することを更に含む、請求項１に記載の方法。
【請求項３４】
古紙を脱インキする方法であって、次の工程すなわち
ａ）古紙をパルプスラリーに変換し、
ｂ）このパルプスラリーを、
ｉ）第１脂肪酸、並びに
ｉｉ）第１アルコキシル化脂肪アルコール及び／又は第１アルコキシル化脂肪酸
を含む脱インキ用配合物と接触させ、そして
ｃ）フローテーションによりこのパルプスラリーからインキを分離し、しかも
ｄ）フローテーション中又はフローテーション前に少なくとも１種のフローテーション用添加剤を添加する
工程を含む方法。
【請求項３５】
古紙を脱インキする方法であって、次の工程すなわち
ａ）古紙を非アルカリ性又は低アルカリ性パルプスラリーに変換し、
ｂ）このパルプスラリーを、
ｉ）第１脂肪酸、並びに
ｉｉ）第１アルコキシル化脂肪アルコール及び／又は第１アルコキシル化脂肪酸
を含む脱インキ用配合物と接触させ、そして
ｃ）洗浄及び／又はフローテーションによりこのパルプスラリーからインキを分離する
工程を含み、しかも第１アルコキシル化脂肪アルコール及び／又は第１アルコキシル化脂肪酸が少なくとも５モルのエトキシル化を含み、そして第１脂肪酸が非アルコキシル化Ｃ６からＣ２０脂肪酸である方法。
【請求項３６】
フローテーションによりパルプスラリーからインキを分離する、請求項３５に記載の方法。
【請求項３７】
脱インキ用組成物であって、
ａ）アルコキシル化されていない第１脂肪酸であって、２０ｗｔ％より多い少なくとも１６個の炭素原子を有する脂肪酸及び６０ｗｔ％より少ない１４個又はそれ以下の炭素原子を有する飽和脂肪酸を含む第１脂肪酸、並びに
ｂ）第１アルコキシル化脂肪アルコール及び／又は第１アルコキシル化脂肪酸
を含む脱インキ用組成物。
【請求項３８】
第１脂肪酸が、約２０ｗｔ％から約９０ｗｔ％の少なくとも１６個の炭素原子を有する脂肪酸を含む、請求項３７に記載の組成物。
【請求項３９】
少なくとも１６個の炭素原子を有する第１脂肪酸が、約４０ｗｔ％から約９０ｗｔ％の不飽和である、請求項３７に記載の組成物。
【請求項４０】
第１アルコキシル化脂肪アルコール及び／又は第１アルコキシル化脂肪酸が、少なくとも１３のＨＬＢ値を有する、請求項３７に記載の組成物。
【請求項４１】
式
Ｒ−Ｏ−［（ＣＨ2−ＣＨ2−Ｏ）n−（ＣＨ2−ＣＨ（ＣＨ3）−Ｏ）m］−Ｈ
〔ここで、
ａ）Ｒは、直線状又は分枝状アルキル基であり、
ｂ）ｎは、約５から約４０であり、
ｃ）ｍは、約０から約２０であり、そして
ｄ）ｎ個の−（ＣＨ2−ＣＨ2−Ｏ）−単位及びｍ個の−（ＣＨ2−ＣＨ（ＣＨ3）−Ｏ）−単位は、任意の順序又は序列にてブロック又はランダム形態に配置される〕
の第１アルコキシル化脂肪アルコールを含む、請求項３７に記載の組成物。
【請求項４２】
ｎが１０から３０であり、そしてｍが１０より小さい、請求項４１に記載の組成物。
【請求項４３】
ｎが１２から２５であり、そしてｍが０である、請求項４１に記載の組成物。
【請求項４４】
組成物が、２２℃以上の温度において液体である、請求項３７に記載の組成物。
【請求項４５】
式
Ｒ2−Ｃ（Ｏ）Ｏ−［（ＣＨ2−ＣＨ2−Ｏ）p−（ＣＨ2−ＣＨ（ＣＨ3）−Ｏ）q］−Ｈ
〔ここで、
ａ）Ｒ2は、少なくとも６個の炭素原子を含む直線状又は分枝状アルキル基であり、
ｂ）ｐは、約５から約４５であり、
ｃ）ｑは、約０から約３０であり、そして
ｄ）ｐ個の−（ＣＨ2−ＣＨ2−Ｏ）−単位及びｑ個の−（ＣＨ2−ＣＨ（ＣＨ3）−Ｏ）−単位は、任意の順序又は序列にてブロック又はランダム形態に配置される〕
のアルコキシル化脂肪酸を含む、請求項３７に記載の組成物。
【請求項４６】
第２アルコキシル化脂肪アルコールを更に含む、請求項３７に記載の組成物。
【発明の詳細な説明】
【技術分野】
【０００１】
先願に対する関連
本願は２００３年１１月１２日に出願された米国特許出願第１０／７０６，４５０号の一部継続出願であり、そしてその優先権を主張する。
【０００２】
発明の分野
本発明は、古紙を脱インキする（好ましくは、非アルカリ性又は低アルカリ性系において）ための方法及び組成物に関する。
【０００３】
発明の背景
製紙工業は、製紙のために使用可能なセルロース繊維を再生するために、古紙の再生利用を何十年間も実施してきた。これらのプロセスにおいて、インキは、適当な脱インキ用組成物を用いて、古紙パルプから除去される。脱インキプロセスは、さもなければ結局埋立材料になっていたかもしれない材料から新しい紙又は板紙用製品を生成する。
【０００４】
増大する公共的要求の故、再生紙の使用は着実に増加してきた。古紙から製紙のために用いられる繊維を回収するために、古紙の脱インキ操作が、印刷に用いられたインキを除去しそしてかくして再使用のための適当な特性をもたらすために一般に行われねばならない。伝統的には、脱インキは、洗浄式脱インキ又はフローテーション式脱インキのどちらかにより行われてきた。
【０００５】
古紙は、新聞紙、雑誌、電話帳、印刷された広告用材、段ボール容器、等の混合物を含有し得る。これらの材料を製造するのに用いられた紙繊維はクラフトパルプのような化学的にパルプ化された材料であり得、あるいは砕木パルプ又はそれらの混合物のような機械的に生成されたパルプであり得る。この古紙の多くはある様式の印刷操作を受けており、かくして紙上にインキの付着物を残している。現在まで、古紙の再生利用は、更なる印刷のために、再生古紙の再使用に先だってインキの除去に集中してきた。
【０００６】
典型的な洗浄式又はフローテーション式脱インキプロセスにおける基本的段階は、リパルパーにおける古紙の再パルプ化；再パルプ化材料の粗選除塵及びスクリーニング；洗浄式及び／又はフローテーション式脱インキ；精選除塵及びスクリーニング；後漂白；並びに最後に貯蔵である。
【０００７】
典型的な古新聞紙（ＯＮＰ）脱インキ操作における重要な構成要素は、リパルパーにおける古紙の処理である。リパルパーにおいて、古紙は、典型的には、水中において苛性ソーダ、ケイ酸ナトリウム及び過酸化水素のような化学薬品で処理される。金属キレート化用添加剤もまた含められ得る。
【０００８】
再パルプ化は、しばしば、パルプからステープル及びプラスチックのような大きい粒子を除去するために一連の粗選クリーナー及びスクリーンにより後続される。除塵パルプは、洗浄式脱インキ段階又はフローテーション式脱インキ段階のどちらかに送られる。
【０００９】
慣用的に、再パルプ化後に脱インキ繊維を生成させるために、二つの異なる方法が、インキ及びインキ関連実在物を単離するために用いられる。これらの二つの方法は、フローテーション及び洗浄である。成功的に脱インキするために、基礎となっている化学的及び物理的目標は、これらの二つの方法について異なっている。
【００１０】
たとえば、洗浄は、典型的には、紙料から成功的に洗い出されそしてかくして繊維系からインキの所望分離をもたらすことになるように、特質上親水性であるように改質されそしてかくしてよく分散されるインキの微細分散性を要求する。インキ及び繊維はスラリーの全体にわたって多かれ少なかれ一様に分散され、そして泡立ち又は気泡形成は、存在するとしても、特には所望されない。洗浄プロセスの目的は、繊維から水性媒質中にインキを放出及び遊離させそして次いでインキ及び関連実在物を繊維から分離することである。かくして、洗浄法は、典型的には、インキ除去用水性媒質中における二次繊維の再パルプ化（好ましくは、低泡立ち条件下で）を含み、それによりインキ（及び存在するなら他の非セルロース異物）が繊維から、プロセス目標に依存して所望されるように機械的に及び／又は化学的に除去される。再パルプ化工程は次いで、典型的には、水性媒質の少なくとも部分的変化たとえば希釈及び／又はスクリーニングにより後続される。洗浄式脱インキは、典型的には、実用的には８より低いｐＨにて行われる。これは、部分的には、或る界面活性剤は界面特性を低いｐＨにおいて成功的に改質することが知られている故であり、しかしこれらの界面活性剤はまたインキを親水性の分散状態（洗浄にとっては有利であり、しかしフローテーションにとっては非常に不利である）に改質する。
【００１１】
フローテーションプロセスは、インキが繊維表面からの放出及び遊離後に集塊化される必要があり得ることにおいて、洗浄プロセスとは根本的に異なっている。インキ特性のこの変質は、空気気泡への付着を容易にしそして十分な疎水性を放出及び遊離されたインキ及びインキ関連部分に付与して空気又は他の気体の気泡への付着及び安定化を利すり得る。インキ単離のフローテーション法は、一般に、空気気泡の流れを分散セルロース繊維（すなわち、再パルプ化セルロース繊維スラリー）の水性流に通すことを伴い、しかも該セルロース繊維スラリーはその中にフローテーション用添加剤（空気気泡へのインキ粒子の付着を促進する）を有する。空気気泡は繊維スラリー内で上昇ししかもインキ粒子を連行し、それにより泡沫を発生する（該泡沫はフローテーション槽から除去され得る）。この方法は、スラリー化−フローテーション用媒質中におけるインキ及び繊維の不均等分布に頼る。空気以外の気体実在物もまた、１つ又はそれ以上のフローテーション工程を含む脱インキプロセス中のフローテーションに用いられる気泡を発生させるために用いられ得る。
【００１２】
フローテーション式脱インキは洗浄に関して根本的に異なるクラスの界面活性剤を利用し、何故なら生じる表面特性はそれらのサイズ分布及び集塊化状態並びにそれらの表面疎水性及び洗浄式脱インキにとって普通である分散性及び親水性の欠如に因り、洗浄に貢献しないからである。加えて、フローテーション式脱インキは、歴史的に、繊維からインキを除去するのを助けるために高ｐＨパルプ化液に頼ってきた（その場合にはフローテーションによって分離され得る）。この高ｐＨはまた、繊維を膨潤する（これもまたインキ除去を容易にし得る）のを並びにインキと繊維の間の或る化学的付着点を化学的に改質する（これはより効率的なインキの遊離及び放出を可能にし得る）のを助け得る。
【００１３】
洗浄プロセス及びフローテーションプロセスは両方共、界面活性剤の適正な使用に依存する。界面活性剤分子の親水性部分対疎水性部分の相対的寄与及び特性に依存して、界面活性剤は様々な態様にてインキ粒子及び他の異物粒子と相互作用し、かくしてこれらの粒子を洗浄目的のために親水性に又はフローテーションのためにより疎水性にする。洗浄用界面活性剤とフローテーション用界面活性剤の対抗する特質は、フローテーション／洗浄系の組合わせにおいて問題を引き起こし得る。洗浄についての脱インキメカニズムはフローテーション法についてのそれとは全く異なっており、そしてそれ故それらは異なる性質を有する脱インキ用組成物の使用を要求する。
【００１４】
典型的には、フローテーション誘導又は洗浄誘導脱インキ化学が、所与脱インキ系において利用される。どちらのプロセスにおいてもある点にて、脱インキ再パルプ化古紙は一連の精選クリーナー及び／又はスクリーンに通され、しかしてそこで砂及び粗粒子のような小さい粒状異物が除去される。異物の粒子サイズを低減するために追加の加工段階（たとえば分散のような）、又は特定の異物を除去するように設計された特殊クリーナーでもっての特殊除塵段階が要求され得る。再パルプ化古紙はまた、パルプの白さ及び白色度を増加するために、漂白化学薬品で処理され得る。
【００１５】
脱インキ古紙は、次いで、究極的に抄紙機に供給されるまで貯蔵される。かくして、脱インキ古紙はパルプの完成紙料を提供し、しかして該完成紙料は、販売され得る紙製品を究極的に製造するために他の完成紙料と一緒にされ得る。
【００１６】
伝統的脱インキに関与する化学は、非常にしばしば、ｐＨを増加するためにリパルパーにおける苛性ソーダの添加を伴う。しかしながら、ｐＨを増加することは、しばしば、特に古紙が砕木パルプすなわちメカニカルパルプを含有する場合、古紙紙料の黄変及び黒ずみの原因となる。望ましくない黒ずみ効果を相殺するために、漂白用添加剤が添加される。
【００１７】
脱インキ用助剤は室温において固体であり得、そしてかかる場合工場において用いられるまで原料から絶えず加熱されねばならない。これは、管路を閉塞しそして脱インキ操作を中止する潜在的問題を引き起こす。
【００１８】
従って、脱インキ工場における再パルプ化は、伝統的には、３．５から２８％のコンシステンシー（パルプ繊維の水性スラリーの濃度（ｗ／ｖ）を記述するために製紙工業において用いられる用語）にて、８．８から１１．５のｐＨにおいて５から３０分間しかも３２℃から６０℃の温度において行われる再パルプ化単位操作を含む。典型的な再パルプ化液は、１．５％程度の水酸化ナトリウム、３％のケイ酸ナトリウム及び１％の過酸化水素の添加を含み得る。リパルパーから出る処理パルプは通常暗色であり、そして引き続いてパルプからインキの分離のために洗浄式及び／又はフローテーション式脱インキ段階に供給される。
【００１９】
二次繊維を脱インキするために低分子量多価電解質と共に置換オキシエチレングリコール非イオン性界面活性剤の使用が、Maloneyの米国特許第４，５９９，１９０号明細書に記載されている。米国特許第５，０９４，７１６号明細書は、砕木パルプ新聞印刷用紙を脱インキする方法において、脱泡剤及びナフタレン−ホルムアルデヒド縮合物と共に或るアニオン性界面活性剤の組合わせが用いられる方法を記載する。
【００２０】
ゼログラフィー印刷古紙からの静電インキ及びトナーの除去が、たとえば、Woodの米国特許第４，５６１，７３３号明細書、Quickの米国特許第４，２７６，１１８号明細書、両方共Darlingtonの米国特許第４，８２０，３７９号明細書及び米国特許第５，１０２，５００号明細書に記載されている。
【００２１】
酵素が、製紙用パルプの処理において及び製紙工場の操業からの廃水流出物を精製するために用いられてきた。日本国特許第２１６０９８４号明細書及び日本国特許第２０８０６８４号明細書は、大豆系インキの加水分解において、リパーゼである酵素の使用を記載する。セルラーゼである別の酵素の使用が、日本国特許第２０８０６８３号明細書に記載されている。欧州特許出願公開第４４７６７２号明細書は、リグニン分解酵素を用いて古紙を脱インキすることを記載する。
【００２２】
米国特許第４，５１８，４５９号明細書は、アルコールの末端ヒドロキシル基又はアルキルフェノールのエチレンオキシドアダクトの末端ヒドロキシル基に予定量のプロピレンオキシドを付加することによりあるいはアルコールの末端ヒドロキシル基又はアルキルフェノールのエチレンオキシドアダクト若しくはエチレンオキシド／プロピレンオキシドブロックアダクトの末端ヒドロキシル基をベンジルエーテルで変性することにより得られた脱インキ用組成物を用いての脱インキ方法を開示する。
【００２３】
米国特許第３，０２１，３７２号明細書、第２，８５６，４３４号明細書、第２，９０３，４８６号明細書、第３，３４０，３０９号明細書、第３，４４４，２４２号明細書及び第３，６２５，９０９号明細書は、アルキレンオキシドをアルコール又はアルキルフェノールに付加することにより製造される化合物を開示する。
【００２４】
米国特許第４，１６２，１８６号明細書は、油溶性アルコールエトキシレートと水溶性アルコールエトキシレートとの組合わせを含む脱インキ用組成物を開示する。
【００２５】
米国特許第５，０９４，７１６号明細書は、洗浄プロセスにおいて疎水性インキの除去に用いるための、アニオン性界面活性剤とアニオン性分散剤の組合わせの使用を記載する。
【００２６】
米国特許第４，５９９，１９０号明細書は、二次繊維の洗浄式脱インキにおける非イオン性界面活性剤と組み合わせた多価電解質分散剤の使用を記載する。
【００２７】
米国特許出願公開第２００３／０１０６６５４号明細書は、脱インキのためのアルコキシル化脂肪アルコール及びトリグリセリドの使用を開示する。
【００２８】
米国特許第５，２２７，０１９号明細書及び第５，２２５，０４６号明細書は、脱インキのためのアルコキシル化脂肪アルコール及び脂肪酸の使用を開示する。
【００２９】
国際公開第９７／３２０７６号パンフレットは、アルコキシル化脂肪アルコールと脂肪酸のエステル化生成物を用いての脱インキを開示する。
【００３０】
国際公開第９６／３１６４６号パンフレットは、インキを遊離するためのアルコキシル化脂肪アルコールの使用を開示する。
【００３１】
米国特許出願第６，３１２，５５９号明細書（Ｎｏ．６，３１２，５５９Ｂ１）は、フローテーション中におけるカチオン性化合物の使用を開示する。
【００３２】
米国特許第５，６５１，８６１号明細書は、古紙を脱インキするためのカチオン性ポリマーの使用を開示する。
【００３３】
米国特許出願公開第２００２／００６６８８０号明細書は、ポリエステルと２種の順次の界面活性剤とを含む混合物の使用を開示する。
【００３４】
米国特許第５，８０１，１３５号明細書は、脂肪酸と界面活性剤（アルコキシル化脂肪アルコールのような）との液状配合物を開示する。
【００３５】
米国特許第５，７２５，７３０号明細書もまた、脂肪酸及びアルコキシル化脂肪アルコールの使用を開示する。
【００３６】
米国特許第６，２５１，２２０号明細書は、アルキレンオキシド、油、脂肪及びアルコールを用いての、フローテーションについての脱インキ方法を開示する。
【００３７】
フローテーション式脱インキと洗浄式脱インキの異なる化学的性質の故、フローテーション及び洗浄の両方に適合し得るところの古紙を脱インキするための方法及び組成物に対するニーズがある。
【００３８】
非アルカリ性又は中性条件にて古紙を脱インキするための方法及び組成物に対するニーズもある。
【００３９】
室温において液体である組成物で古紙を脱インキするための方法及び組成物に対するニーズもある。
【００４０】
発明の要約
アルコキシル化脂肪アルコール及び酸そしてより特定的にはエトキシル化脂肪アルコール及び酸が洗浄式脱インキプロセスにおいて脱インキ用添加剤として歴史的に用いられてきた並びに非エトキシル化脂肪酸がフローテーション式脱インキプロセスにおいて歴史的に用いられてきたけれども、これらの添加剤は多数の予期されない利点を伴ってフローテーション又は洗浄プロセスにおける使用のために配合され得るということが思いがけず発見された。驚くべきことに、配合物は伝統的アルカリ性脱インキプロセスにおいて古紙からインキを除去し得るということが発見された。驚くべきことに、配合物は非アルカリ性又は低アルカリ性スラリーにおいて古紙からインキを除去し得るということも発見された。かくして、配合物は製紙プロセスにおける脱インキ中及び脱インキ後のｐＨ調整と関連したコスト及び努力を実質的に低減し得、並びに先に論考されたアルカリ黄変又はアルカリ黒ずみの不利益のような伝統的アルカリ性脱インキと関連した不利益な効果を低減又は排除し得る。
【００４１】
アルコキシル化脂肪アルコール又は酸と脂肪酸のこれらの配合物は、個々の成分の一方又は両方が室温においてそれ自体固体であるとしても、室温において液体であり得る、ということも驚くべきことに発見された。かくして、配合物は、製紙プロセスにおける固体脱インキ用添加剤の取扱いと関連した重荷を実質的に低減するよう期待させる。本発明の配合物は無添加剤性能属性を示すということも驚くべきことに発見された。
【００４２】
それ故、一つの具体的態様において、脱インキ用組成物であって、
ａ）アルコキシル化されていない第１脂肪酸であって、２０ｗｔ％より多い少なくとも１６個の炭素原子を有する脂肪酸及び６０ｗｔ％より少ない１４個又はそれ以下の炭素原子を有する飽和脂肪酸を含む第１脂肪酸、並びに
ｂ）第１アルコキシル化脂肪アルコール及び／又は第１アルコキシル化脂肪酸
を含む脱インキ用組成物が提供される。
【００４３】
別の具体的態様において、非アルカリ性又は低アルカリ性脱インキ方法が提供される。かくして、別の具体的態様は、古紙を脱インキする方法であって、次の工程すなわち
ａ）古紙を非アルカリ性又は低アルカリ性パルプスラリーに変換し、
ｂ）このパルプスラリーを、第１アルコキシル化脂肪アルコール及び／又は第１アルコキシル化脂肪酸と第１脂肪酸とを含む脱インキ用配合物と接触させ、そして
ｃ）洗浄及び／又はフローテーションによりこのパルプスラリーからインキを分離する
工程を含む方法を提供する。
【００４４】
更に別の具体的態様において、脱インキのフローテーション法が提供される。かくして、更に別の具体的態様において、古紙を脱インキする方法であって、次の工程すなわち
ａ）古紙をパルプスラリーに変換し、
ｂ）このパルプスラリーを、第１アルコキシル化脂肪アルコール及び／又は第１アルコキシル化脂肪酸と第１脂肪酸とを含む脱インキ用配合物と接触させ、
ｃ）フローテーションによりこのパルプスラリーからインキを分離し、しかも
ｄ）フローテーション中又はフローテーション前に少なくとも１種のフローテーション用添加剤を添加する
工程を含む方法が提供される。
【００４５】
本発明の追加の目的及び利点は以下の説明中に一部は述べられそして一部は該説明から明白であり、あるいは本発明の実施により知られ得る。本発明の目的及び利点は、特に添付の請求項に指摘された要素及び組合わせにより実現及び達成される。
【００４６】
以上の一般的説明及び以下の詳細な説明は両方共例示的及び説明的にすぎず、そして請求項に記載される本発明を限定しない、ということが理解されるべきである。
【００４７】
詳細な説明
古紙の再生利用のための脱インキ方法及び組成物が提供される。該組成物は、（１）アルコキシル化脂肪アルコール又はアルコキシル化脂肪酸と（２）脂肪酸との配合物を含む。
【００４８】
定義
本明細書において用いられる場合の用語「アルキル」は、別段特記されていなければ、飽和の直線状、分枝状又は環状の第１級、第２級又は第３級炭化水素、たとえばＣ１からＣ２０又はＣ６からＣ２０を包含し、しかして特定的にはメチル、エチル、プロピル、イソプロピル、ブチル、イソブチル、ｔ−ブチル、ペンチル、シクロペンチル、イソペンチル、ネオペンチル、ヘキシル、イソヘキシル、シクロヘキシル、シクロヘキシルメチル、３−メチルペンチル、２，２−ジメチルブチル及び２，３−ジメチルブチルを包含する。アルキル基はまた、トリデシルを包含し得る。アルキル基は、随意に、ヒドロキシル、カルボキシ、カルボキサミド、カルボアルコキシ、アシル、アミノ、アルキルアミノ、アリールアミノ、アルコキシ、アリールオキシ、ニトロ、シアノ、スルホン酸、サルフェート、ホスホン酸、ホスフェート又はホスホネートから成る群から選択された１個又はそれ以上の部分で置換され得、しかもこれらは保護されていないか又は必要に応じて保護されている（当業者に知られているように、たとえばGreene等，「Protective Groups in Organic Synthesis」，John Wiley and Sons，第２版，１９９１（これによって参照することにより組み込まれる）に教示されているように）かのどちらかである。
【００４９】
本明細書において、用語Ｃ（アルキル範囲）が用いられる場合はいつも、該用語は独立して、あたかも特定的に及び別々に述べられているかのようにそのクラスの各員を包含する。非制限的例として、用語「Ｃ１からＣ２０」は独立して、その範囲内に入る各種を表し、しかしてメチル、エチル、プロピル、イソプロピル、ブチル、ｓｅｃ−ブチル、イソブチル、ｔｅｒｔ−ブチル、ペンチル、イソペンチル、ネオペンチル、シクロペンチル、シクロペンチル、ヘキシル、１−メチルペンチル、２−メチルペンチル、３−メチルペンチル、４−メチルペンチル、１−エチルブチル、２−エチルブチル、３−エチルブチル、４−エチルブチル、シクロヘキシル、ヘプチル、１−メチルヘキシル、２−メチルヘキシル、３−メチルヘキシル、４−メチルヘキシル、５−メチルヘキシル、６−メチルヘキシル、１−エチルペンチル、２−エチルペンチル、３−エチルペンチル、４−エチルペンチル、５−エチルペンチル、１−プロピルブチル、２−プロピルブチル、３−プロピルブチル、４−プロピルブチル、シクロヘプチル、オクチル、１−メチルヘプチル、２−メチルヘプチル、３−メチルヘプチル、４−メチルヘプチル、５−メチルヘプチル、６−メチルヘプチル、７−メチルヘプチル、１−エチルヘキシル、２−エチルヘキシル、３−エチルヘキシル、４−エチルヘキシル、５−エチルヘキシル、６−エチルヘキシル、１−プロピルペンチル、２−プロピルペンチル、３−プロピルペンチル、４−プロピルペンチル、５−プロピルペンチル、シクロオクチル、ノニル、シクロノニル、デシル又はシクロデシルを包含するが、しかしそれらに限定されない。
【００５０】
本明細書において用いられる場合の用語「アリール」は、別段特記されていなければ、フェニル、ビフェニル又はナフチルそして好ましくはフェニルを指す。アリール基は、随意に、アルキル、ヘテロアリール、複素環式、炭素環、アルコキシ、アリールオキシ、アリールオキシ、アリールアルコキシ、ヘテロアリールオキシ、ヘテロアリールアルコキシ、炭水化物、アミノ酸、アミノ酸エステル、アミノ酸アミド、アルジトール、ハロ、ハロアルキル、ヒドロキシル、カルボキシル、アシル、アシルオキシ、アミノ、アミド、アルキルアミノ、ジアルキルアミノ、アリールアミノ、ニトロ、シアノ、チオール、イミド、スルホン酸、サルフェート、スルホニル、スルファニル、スルフィニル、スルファモイル、カルボン酸エステル、カルボン酸、アミド、ホスホニル、ホスフィニル、ホスホリル、チオエステル、チオエーテル、オキシム、ヒドラジン、カルバメート、リン酸、ホスフェート、ホスホネート、ホスフィネート、スルホンアミド、カルボキサミド、ヒドロキサム酸、スルホニルイミド、又は当該化合物の活性を阻害しない任意の他の所望官能基から成る群から選択された１個又はそれ以上の部分で置換され得、しかもこれらは保護されていないか又は必要に応じて保護されている（当業者に知られているように、たとえばGreene等，「Protective Groups in Organic Synthesis」，John Wiley and Sons，第２版，１９９１に教示されているように）かのどちらかである。その代わりに、アリール環上の隣接基は一緒になって５から７員の炭素環式、アリール、ヘテロアリール又は複素環式環を形成し得る。別の具体的態様において、アリール環は、随意に置換されたシクロアルキル（シクロペンチル又はシクロヘキシルのような）で又はアルキレンジオキシ部分（たとえばメチレンジオキシ）で置換される。
【００５１】
用語「オキシエチレン」、「エチレンオキシド」又は「ＥＯ」は、酸素部分に結合されたエチル部分又は−Ｏ−ＣＨ2ＣＨ2−を指す。
【００５２】
用語「オキシプロピレン」、「プロピレンオキシド」又は「ＰＯ」は、酸素部分に結合されたプロピル部分又は−Ｏ−ＣＨ2ＣＨＣＨ3−を指す。
【００５３】
本明細書において用いられる場合の用語「ＨＬＢ」は、分子の「親水性親油性バランス」を指す。ＨＬＢ数は１〜４０の任意範囲にて分子の極性を指摘し、しかして最も普通に用いられる乳化剤は１と２０の間の値を有する。ＨＬＢ数は、親水性の増加と共に増加する。ＨＬＢシステムは、分子構造がどんなタイプの界面活性剤特性を与えるかを予言するための半実験的方法である。ＨＬＢシステムは、ある分子は親水性基を有し、ある分子は親油性基を有しそしてある分子は両方を有するという概念に基づいている。界面活性剤のＨＬＢは、Griffin WC，「「ＨＬＢ」による界面活性剤の分類」，Journal of the Society of Cosmetic Chemists，１（１９４９），３１１及びGriffin WC，「非イオン性界面活性剤のＨＬＢ値の算出」，Journal of the Society of Cosmetic Chemists，５（１９５４），２５９に従って算出され得る。
【００５４】
用語「カチオン性添加剤」は、正に荷電しているか又は水性媒質に添加すると正荷電イオンを生じるいかなる化合物をも指す。
【００５５】
用語「脂肪酸」は、一様な分子量の脂肪酸又は分子量分布を有する脂肪酸の混合物を含む組成物を指す。
【００５６】
用語「脂肪アルコール」は、一様な分子量の脂肪アルコール又は分子量分布を有する脂肪アルコールの混合物を含む組成物を指す。
【００５７】
用語「＃／ｔ」は、スラリー中に存在する固形分のトン当たりのポンドを表す。１トンは、２０００ポンドに等価である。
【００５８】
論考
一般に、古紙パルプを脱インキする方法及び特にかかる方法を実施するのによく適応されている界面活性剤の配合物が提供される。これらの組成物及び方法は、広範な再生利用古紙及び加工条件にわたって用いられる。
【００５９】
第１の主要な具体的態様は、古紙を脱インキするための組成物であって、
ａ）アルコキシル化されていない第１脂肪酸であって、２０ｗｔ％より多い少なくとも１６個の炭素原子を有する脂肪酸及び６０ｗｔ％より少ない１４個又はそれ以下の炭素原子を有する飽和脂肪酸を含む第１脂肪酸、
ｂ）第１アルコキシル化脂肪アルコール及び／又は第１アルコキシル化脂肪酸
ｃ）随意に、第２アルコキシル化脂肪アルコール及び／又は第２アルコキシル化脂肪酸、並びに
ｄ）随意に、水、プロピレングリコール又は別の不活性希釈剤
を含む組成物を提供する。
【００６０】
この配合物は、随意に、
・約１０ｗｔ％から約７０ｗｔ％の第１脂肪酸、約２０ｗｔ％から約６０ｗｔ％の第１脂肪酸又は約２５ｗｔ％から約５０ｗｔ％の第１脂肪酸、
・約５ｗｔ％から約７５ｗｔ％の第１アルコキシル化脂肪アルコール若しくは第１アルコキシル化脂肪酸又は両方あるいは約１０ｗｔ％から約５０ｗｔ％の第１アルコキシル化脂肪アルコール若しくは第１アルコキシル化脂肪酸又は両方、
・約０ｗｔ％から約３５ｗｔ％の第２アルコキシル化脂肪アルコール若しくは第２アルコキシル化脂肪酸又は両方あるいは約５ｗｔ％から約３０ｗｔ％の第２アルコキシル化脂肪アルコール若しくは第２アルコキシル化脂肪酸又は両方、並びに／あるいは
・約０ｗｔ％から約５０ｗｔ％の水若しくは他の希釈剤又は約５ｗｔ％から約２５ｗｔ％の水若しくは他の希釈剤
を含む。
【００６１】
第１アルコキシル化脂肪アルコール若しくは第１アルコキシル化脂肪酸又は両方は、随意に、第１脂肪酸に関して約１：９９から約９９：１、約１５：８５から約５５：１５、約１：３から約３：１、約１：２から約２：１又は約１．５：１から約１：１．５の重量比にて存在する。その代わりに又は加えて、総アルコキシル化脂肪アルコール及び総アルコキシル化脂肪酸は、総脂肪酸に関して約１：９９から約９９：１、約１５：８５から約５５：１５、約１：３から約３：１、約１：２から約２：１又は約１．５：１から約１：１．５の重量比にて存在する。
【００６２】
様々な具体的態様において、第１脂肪酸は、約２０ｗｔ％、３０ｗｔ％、４０ｗｔ％、５０ｗｔ％又は６０ｗｔ％から約１００ｗｔ％、９０ｗｔ％、８０ｗｔ％又は７０ｗｔ％の約１６から約２４個の炭素原子を有する脂肪酸を含む（下方百分率と上方百分率の任意の組合わせにて）。該脂肪酸は、好ましくは、約２０ｗｔ％、３０ｗｔ％、４０ｗｔ％、５０ｗｔ％又は６０ｗｔ％から約１００ｗｔ％、９０ｗｔ％、８０ｗｔ％又は７０ｗｔ％の約１６から約１８個の炭素原子を有する脂肪酸を含む（下方百分率と上方百分率の任意の組合わせにて）。
【００６３】
第１脂肪酸は、好ましくは、約６、１２又は１６個から約２４、２０又は１８個の炭素原子を含む。加えて、第１脂肪酸成分内の脂肪酸は、飽和でも不飽和でもよい。別の具体的態様において、第１脂肪酸成分内の脂肪酸の不飽和度（すなわち、脂肪酸分子の総数を基準として第１脂肪酸成分内の不飽和分子の百分率）は、約１０から約９５％、約２０から約９０％、約２５から約８５％、約４０から約９０％、又は約３０から約８０％である。
【００６４】
第１アルコキシル化脂肪アルコールは、随意に、次式
Ｒ−Ｏ−［（ＣＨ2−ＣＨ2−Ｏ）n−（ＣＨ2−ＣＨ（ＣＨ3）−Ｏ）m］−Ｈ
〔ここで、
Ｒは、アリール又はアルキル、たとえば直線状又は分枝状アルキル基であり、
ｎは、約５から約４５、約５から約４０、約９から約２５、約１５から約２３、又は約１８から約２３であり、
ｍは、約０から約３０、又は約０から２０であり、そして
−（ＣＨ2−ＣＨ2−Ｏ）−単位及び−（ＣＨ2−ＣＨ（ＣＨ3）−Ｏ）−単位は、任意の順序又は序列にてブロック又はランダム形態に配置される〕
により表される。
【００６５】
随意に、ＲはＣ６〜２０アルキルである。
【００６６】
エチレンオキシド及びプロピレンオキシド単位は任意の順序又は序列にてブロック又はランダム形態に配置される故、ｎ単位のエチレンオキシドは連続して配置されている必要はなく、そしてｍ単位のプロピレンオキシドにより秩序又はランダム様式にて中断され得る。更に、プロピレンオキシドはエチレンオキシドの代わりに脂肪アルコール残基に直接的に結合され得、そしてその分子はエチレンオキシドにて終端し得る。
【００６７】
別の具体的態様において、Ｒは、約６から約２４個の炭素原子、約６から約２０個の炭素原子、約１２から約２４個の炭素原子、約１６から約２０個の炭素原子、又は約１８個の炭素原子を含む。かくして、Ｒは、Ｃ６〜２４アルキル、Ｃ６〜２０アルキル、Ｃ１２〜２４アルキル、Ｃ１２〜２４アルキル、Ｃ１６〜２０アルキル、Ｃ１２〜１８アルキル又はＣ１６〜１８アルキルであり得る。一つの具体的態様において、ｎは、約５から約４０、約１０から約３５、約１０から約３０、約１２から約２５、約１５から約２５、又は約２１である。別の具体的態様において、ｍは、０又は１から約２５又は２０又は１０である。
【００６８】
第１アルコキシル化脂肪アルコールは、飽和でも不飽和でもよい。いくつかの具体的態様において、第１アルコキシル化脂肪アルコールの不飽和度（すなわち、第１アルコキシル化脂肪アルコール成分内の不飽和分子の百分率）は、約１０から約９５％、約２０から約９０％、約２５から約８５％、又は約３０から約８０％である。
【００６９】
更に他の具体的態様において、第１アルコキシル化脂肪アルコールは、ＨＬＢにより特徴づけられる。別の具体的態様において、アルコキシル化脂肪アルコールは、１２、１３、１４、１５又は１６より大きいＨＬＢを有する。
【００７０】
開示された処方物の第１アルコキシル化脂肪酸は、次式
Ｒ2−Ｃ（Ｏ）Ｏ−［（ＣＨ2−ＣＨ2−Ｏ）p−（ＣＨ2−ＣＨ（ＣＨ3）−Ｏ）q］−Ｈ
〔ここで、
Ｒ2は、アリール又はアルキル、たとえば直線状又は分枝状アルキル基であり、
ｐは、約５から約４５、約５から約４０、約９から約２５、約１５から約２３、又は約１８から約２３であり、
ｑは、約０から約３０、又は約０から２０であり、そして
−（ＣＨ2−ＣＨ2−Ｏ）−単位及び−（ＣＨ2−ＣＨ（ＣＨ3）−Ｏ）−単位は、任意の順序又は序列にてブロック又はランダム形態に配置される〕
により表され得る。
【００７１】
随意に、Ｒ2はＣ６〜２０アルキルである。
【００７２】
別の具体的態様において、Ｒ2は、約６から約２４個の炭素原子、約６から約２０個の炭素原子、約１２から約２４個の炭素原子、約１６から約２０個の炭素原子、又は約１８個の炭素原子を含む。かくして、Ｒ2は、Ｃ６〜２４アルキル、Ｃ６〜２０アルキル、Ｃ１２〜２４アルキル、Ｃ１２〜２４アルキル、又はＣ１６〜２０アルキルであり得る。一つの具体的態様において、ｐは、約５から約４０、約１０から約３５、約１０から約３０、約１２から約２５、約１５から約２５、又は約２１である。別の具体的態様において、ｑは、０又は１から約２５又は２０又は１０である。
【００７３】
Ｒ2は、たとえばＣ６〜２４アルキル、Ｃ６〜２０アルキル、Ｃ１２〜１８アルキル、又はＣ１６〜１８アルキルである。
【００７４】
別の具体的態様において、Ｒ2は、少なくとも１２、１６又は１８個の炭素原子を含む。同様に、ｐは約１０から約９０、約２０から約８０又は約２５から約７５の整数であり得、そしてｑは約５から約３０の整数であり得る。分子当たりの総平均アルコキシル化（すなわち、ｐプラスｑ）は、約１５から約１２０又は約２５から約１１０の整数であり得る。
【００７５】
加えて、第１アルコキシル化脂肪酸は、飽和でも不飽和でもよい。別の具体的態様において、第１アルコキシル化脂肪酸の不飽和度は、約１０から約９５％、約２０から約９０％、約２５から約８５％、又は約３０から約８０％である。
【００７６】
更に他の具体的態様において、第１アルコキシル化脂肪酸は、ＨＬＢにより特徴づけられる。別の具体的態様において、アルコキシル化脂肪酸は、１２、１３、１４、１５又は１６より大きいＨＬＢを有する。
【００７７】
第２アルコキシル化脂肪アルコールは、随意に、次式
Ｒ−Ｏ−［（ＣＨ2−ＣＨ2−Ｏ）n−（ＣＨ2−ＣＨ（ＣＨ3）−Ｏ）m］−Ｈ
〔ここで、
Ｒは、アリール又は直線状若しくは分枝状アルキル基であり、
ｎは、約１０から約１００であり、
ｍは、約０又は１から約３５であり、そして
−（ＣＨ2−ＣＨ2−Ｏ）−単位及び−（ＣＨ2−ＣＨ（ＣＨ3）−Ｏ）−単位は、任意の順序又は序列にてブロック又はランダム形態に配置される〕
により表される。
【００７８】
別の具体的態様において、Ｒは、約６から約２４個の炭素原子、約６から約２０個の炭素原子、約１２から約２４個の炭素原子、約１６から約２０個の炭素原子、又は約１８個の炭素原子を含む。Ｒは、随意に、Ｃ１０〜４０アルキル、Ｃ１２〜２４アルキル、Ｃ１６〜２０アルキル又はＣ１８アルキル（随意に、直鎖状又は分枝状である）である。同様に、別の具体的態様において、ｎは、約１０から約１００、５０若しくは３５、約１５から約３５、２５、又は約２である。随意に、ｍは、０又は１から約３５、２５、２０又は１０である。
【００７９】
第２アルコキシル化脂肪アルコールは、飽和でも不飽和でもよい。別の具体的態様において、第２アルコキシル化脂肪アルコールの不飽和度は、約１０から約９５％、約２０から約９０％、約２５から約８５％、又は約３０から約８０％である。
【００８０】
第２アルコキシル化脂肪酸は、随意に、次式
Ｒ2−Ｏ−Ｏ−［（ＣＨ2−ＣＨ2−Ｏ）p−（ＣＨ2−ＣＨ（ＣＨ3）−Ｏ）q］−Ｈ
〔ここで、
Ｒ2は、アリール又は直線状若しくは分枝状アルキル基であり、
ｐは、約１０から約１００であり、
ｑは、約０又は１から約３５であり、そして
−（ＣＨ2−ＣＨ2−Ｏ）−単位及び−（ＣＨ2−ＣＨ（ＣＨ3）−Ｏ）−単位は、任意の順序又は序列にてブロック又はランダム形態に配置される〕
により表される。
【００８１】
別の具体的態様において、Ｒ2は、約６から約２４個の炭素原子、約６から約２０個の炭素原子、約１２から約２４個の炭素原子、約１６から約２０個の炭素原子、又は約１８個の炭素原子を含む。Ｒ2は、随意に、Ｃ１０〜４０アルキル、Ｃ１２〜２４アルキル、Ｃ１６〜２０アルキル又はＣ１８アルキル（随意に、直鎖状又は分枝状である）である。同様に、別の具体的態様において、ｐは、約１０から約１００、５０若しくは３５、約１５から約３５、２５、又は約２である。随意に、ｑは、０又は１から約３５、２５、２０又は１０である。
【００８２】
第２アルコキシル化脂肪酸は、飽和でも不飽和でもよい。別の具体的態様において、第２アルコキシル化脂肪酸の不飽和度は、約１０から約９５％、約２０から約９０％、約２５から約８５％、又は約３０から約８０％である。
【００８３】
別の側面において、第１の主要な具体的態様の組成物に限定されない非アルカリ性又は低アルカリ性系において古紙を脱インキする方法が提供される。かくして、第２の主要な具体的態様において、古紙を脱インキする方法であって、次の工程すなわち
ａ）古紙を非アルカリ性又は低アルカリ性パルプスラリーに変換し、
ｂ）このパルプスラリーを、第１アルコキシル化脂肪アルコール及び／又は第１アルコキシル化脂肪酸と第１脂肪酸とを含む脱インキ用配合物と接触させ、そして
ｃ）洗浄及び／又はフローテーションによりこのパルプスラリーからインキを分離する
工程を含む方法が提供される。
【００８４】
第１脂肪酸は、随意に、アルコキシル化されていない。
【００８５】
第１脂肪酸は好ましくは先に記載されたとおりであり、そして随意に２０ｗｔ％より多い少なくとも１６個の炭素原子を有する脂肪酸及び６０ｗｔ％より少ない１４個又はそれ以下の炭素原子を有する飽和脂肪酸を含む。第１脂肪酸は、随意に、６から２０個の炭素原子を含む。
【００８６】
本方法は、ケイ酸ナトリウム若しくは亜硫酸ナトリウム又はそれらの組合わせをパルプスラリーに添加することを更に含み得る。脱インキ用配合物は、随意に、第２アルコキシル化脂肪アルコール及び／又は第２アルコキシル化脂肪酸を更に含む。
【００８７】
パルプスラリーからのインキの分離は、一つの具体的態様において、フローテーションにより行われる。本方法は、パルプスラリーからのインキの分離前又は分離中にフローテーション用添加剤をスラリーに添加することを更に含み得る。
【００８８】
本方法は、フローテーション前又はフローテーション中に少なくとも１種のカチオン性添加剤をスラリーに添加することを更に含み得る。カチオン性添加剤は、随意に、カチオン性ポリマーたとえばカチオン性ポリアミンである。
【００８９】
第１アルコキシル化脂肪アルコールは好ましくは先に定められたとおりであり、そして随意に少なくとも５モルのエトキシル化を含む。第１アルコキシル化脂肪アルコールのアルコール部分は、随意に、６から２０個の炭素原子を含む。
【００９０】
本方法において、工程ａ）におけるパルプスラリーは、随意に、約６．０から約８．８又は約６．８から約７．２のｐＨを有する。配合物は、一つの具体的態様において、２２、２５若しくは３０℃又はそれ以上の温度において液体である。
【００９１】
第１アルコキシル化脂肪アルコール若しくは第１アルコキシル化脂肪酸又は両方と第１脂肪酸は、随意に、重量により約１：９９から約９９：１、重量により約１５：８５から約５５：１５、重量により約１：３から約３：１又は重量により約１：２から約２：１の比率にて存在する。
【００９２】
本方法において、一つの具体的態様において、配合物は、総アルコキシル化脂肪アルコール及びアルコキシル化脂肪酸と脂肪酸を、重量により約１：９９から約９９：１、重量により約１５：８５から約５５：１５又は重量により約１：２から約３：１の比率にて含む。
【００９３】
配合物は、随意に、水又は他の希釈剤、たとえば約０から約２５重量％の水又は他の希釈剤を含む。
【００９４】
随意に、第１脂肪酸はトール油脂肪酸である。
【００９５】
用語「非アルカリ性又は低アルカリ性パルプスラリー」は、酸性スラリーからアルカリ性度がスラリー中の繊維からのインキの分離に実質的に寄与しないところのアルカリ性スラリーの範囲のスラリーを包含する。操作上、本方法は、約６、６．５又は６．７から約８．８、８．０又は７．３の範囲のｐＨを有するスラリーでもって実施され得る。最も好ましくは、本方法は、約６．８又は７．２のｐＨにおいてのように実質的に中性系において実施される。
【００９６】
別の側面において、１つ又はそれ以上のフローテーション段階を用いるところの古紙を脱インキする方法が提供される。かくして、第３の主要な具体的態様において、古紙を脱インキする方法であって、次の工程すなわち
ａ）古紙をパルプスラリーに変換し、
ｂ）このパルプスラリーを、第１アルコキシル化脂肪アルコール及び／又は第１アルコキシル化脂肪酸と第１脂肪酸とを含む脱インキ用配合物と接触させ、しかも第１脂肪酸はアルコキシル化されておらず、
ｃ）フローテーションによりこのパルプスラリーからインキを分離し、しかも
ｄ）フローテーション中又はフローテーション前にカチオン性添加剤のような１種のフローテーション用添加剤を添加する
工程を含む方法が提供される。
【００９７】
留意すべきことに、フローテーション具体的態様と低アルカリ性具体的態様は相互に排除しない。かくして、フローテーション具体的態様は、低アルカリ性又は非アルカリ性環境において実施され得る。同様に、低アルカリ性具体的態様は、フローテーションに基づく系において実施され得る。
【００９８】
カチオン性添加剤は、たとえば、カチオン性ポリアミンのようなカチオン性ポリマーである。
【００９９】
一つの下位区分の具体的態様において、本方法は、次のパラメーターにより定められる脱インキ用配合物を用いて実施される。すなわち、
・第１アルコキシル化脂肪アルコール又は第１アルコキシル化脂肪酸は、少なくとも５、１０又は１５モルのエトキシル化且つ好ましくは７０総モルより多くないエトキシル化を含み、
・第１アルコキシル化脂肪アルコール又は第１アルコキシル化脂肪酸のアルコール又は酸部分は、約６から約２４個、約６から約２０個、約１２から約１８個又は約１６から約１８個の炭素原子を含み、
・第１脂肪酸は、非アルコキシル化Ｃ６〜Ｃ２４、Ｃ６〜Ｃ２０、Ｃ１２〜Ｃ１８又はＣ１６〜Ｃ１８脂肪酸であり、好ましくは式Ｒ3−Ｃ（Ｏ）ＯＨ（ここで、Ｒ3は約６から約２４個の炭素原子、約９から約２０個の炭素原子、約１２から約２０個の炭素原子又は約６から約１８個の炭素原子の分枝状又は直鎖状アルキルである）により表される。
【０１００】
別の下位区分の具体的態様において、本方法は、第１アルコキシル化脂肪酸、第１脂肪酸、第１アルコキシル化脂肪アルコール及び／又は第２アルコキシル化脂肪アルコールが第１の主要な具体的態様について上記に定められたとおりである配合物を用いて実施される。
【０１０１】
脱インキ効果は本発明の方法及び組成物を独立して用いることにより得られ得るけれども、該方法及び該組成物は慣用の脱インキ用添加剤と組み合わせて用いられ得る。これらの脱インキ用添加剤のいずれも、フローテーション用添加剤又は洗浄用添加剤として用いられ得る。それらは、パルプスラリーへの古紙の変換中（すなわち、パルプ化段階中又はパルプ化段階前）、洗浄若しくはフローテーション段階中又は洗浄若しくはフローテーション段階前（好ましくは直前）に、パルプスラリーに添加され得る。
【０１０２】
脱インキ用添加剤の非制限的例は、アルコールサルフェート、ポリオキシアルキレンアルコールサルフェート、アルキルベンゼンスルホネート、脂肪酸又はそれらの塩、アルキレンオキシドとアルコール又はアルキルフェノールのアダクト、アルキレンオキシドと脂肪酸のアダクト、アルキレンオキシドとモノ、ジ又はトリグリセリドのアダクト、多価若しくは一価アルコール又はアルキレンオキシドと多価アルコール若しくは一価アルコールのアダクト、ケイ酸塩系及び亜硫酸塩系添加剤（非制限的例は、ケイ酸ナトリウム及び亜硫酸ナトリウム、等を包含する）を包含する。脂肪酸又はそれらの塩の非制限的例は６から２４個の炭素原子を有する脂肪酸又はそれらの塩であり得、そしてカプリル酸、カプリン酸、ラウリン酸、パルミチン酸、ステアリン酸、オレイン酸、ベヘン酸、等、上記に挙げられた脂肪酸を含有するヤシ油脂肪酸、大豆油脂肪酸、ナタネ油脂肪酸、トール油脂肪酸、ヒマシ油脂肪酸、タロー油脂肪酸、パーム油脂肪酸、魚油脂肪酸、等、並びに天然産物から得られた上記に挙げられた脂肪酸の水素化生成物の脂肪酸及び合成脂肪酸により例示され得る。脂肪酸の塩は、ナトリウム塩又はカリウム塩であり得る。他の非制限的例は、アルファ−オレフィンスルホネート、エトキシル化ラウリルアルコール、プロピレングリコール、ジプロピレングリコール又は他の置換グリコールを包含する。
【０１０３】
一価アルコールの非制限的例は、８から２４個の炭素原子のアルキル又はアルケニル部分を有するもの及びアルキル部分が６から１４個の炭素原子を有するアルキルフェニル部分を有するものを包含し得る。それらの特定の例は、１−オクタノール、１−ノナノール、１−デカノール、１−ウンデカノール、１−ドデカノール、１−トリデカノール、１−テトラデカノール、１−ペンタデカノール、１−ヘキサデカノール、１−ヘプタデカノール、１−オクタデカノール、１−ノナデカノール、１−エイコサノール、１−ヘンエイコサノール、１−ドコサノール、１−トリコサノール、１−テトラコサノール、２−オクタノール、２−ノナノール、２−デカノール、２−ウンデカノール、２−ドデカノール、２−トリデカノール、２−テトラデカノール、２−ペンタデカノール、２−ヘキサデカノール、２−ヘプタデカノール、２−オクタデカノール、２−ノナデカノール、２−エイコサノール、２−オクテン−１−オール、２−ドデセン−１−オール、２−ウンデセン−１−オール、２−テトラデセン−１−オール、２−ペンタデセン−１−オール、２−ヘキサデセン−１−オール、２−オクタデセン−１−オール、８−ノネン−１−オール、１０−ウンデセン−１−オール、１１−ドデセン−１−オール、１２−トリデセン−１−オール、１５−ヘキサデセン−１−オール、オレイルアルコール、エライジルアルコール、リノレイルアルコール、リノレニルアルコール、エレオステアリルアルコール、リシノイルアルコール、シクロノナノール、シクロデカノール、シクロウンデカノール、シクロドデカノール、シクロトリデカノール、シクロテトラデカノール、シクロペンタデカノール、シクロヘキサデカノール、シクロヘプタデカノール、シクロオクタデカノール、シクロノナデカノール、シクロエイコサノール、オクチルフェノール及びノニルフェノールを包含する。
【０１０４】
多価アルコールの非制限的例は、エチレングリコール、プロピレングリコール、トリメチレングリコール、ブチレングリコール、１，６−ヘキサングリコール、２−エチルブタン−１，２，３−トリオール、グリセロール、トリメチロールプロパン、トリメチロールエタン、１，２，４−ブタントリオール、１，２，６−ヘキサントリオール、１，１，１−トリメチロールヘキサン、テトラメチロールシクロヘキサノール、ジグリセロール、マニタン、ペンタエリトリトール、エリトリトール、アラビトール、ソルビトール、Ｄ−グリセロ−Ｄ−ガラクトヘプトース、Ｄ−グルセロ−Ｄ−グルコヘプトース、Ｄ−グリセロ−Ｄ−マンノヘプトース、Ｄ−グリセロ−Ｌ−マンノヘプトース、Ｄ−アルトロヘプツロース、Ｄ−マンノヘプツロース、Ｄ−アルトロ−３−ヘプツロース、Ｄ−グリセロ−Ｄ−ガラヘプチトール、Ｄ−エリトロ−Ｄ−ガラオクチトール、Ｄ−グリセロ−Ｄ−マンノオクツロース、Ｄ−エリトロ−Ｌ−グロノヌロース、セロブロース、マルトース、ラクトース、ゲンチアノース、セロトリオース及びスタキオースを包含する。
【０１０５】
別の具体的態様において、添加剤は、カチオン性フローテーション用添加剤のようなカチオン性添加剤である。カチオン性添加剤の非制限的例は、ポリマー又はモノマーを包含する。ポリマーは、当業者に知られたいかなる方法（ビニルモノマーのラジカル重合、又は縮合反応のような）によっても製造され得る。
【０１０６】
カチオン性添加剤の非制限的例は、ホモポリマー、コポリマー、ターポリマー、等を含めてカチオン性ポリマーを包含する。それらの例は（メト）アクリルアミドとジメチルアミノエチルメタクリレート（ＤＭＡＥＭ）、ジメチルアミノエチルアクリレート（ＤＭＡＥＡ）、ジエチルアミノエチルアクリレート（ＤＥＡＥＡ）、ジエチルアミノエチルメタクリレート（ＤＥＡＥＭ）、又はジメチルサルフェート若しくはメチルクロライドでもって作られたそれらの第４級アンモニウム形態を包含するがしかしそれらに限定されず、しかしてジメチルアミノエチルアクリレートメチルクロライド第４級塩、ジメチルアミノエチルアクリレートメチルサルフェート第４級塩、ジメチルアミノエチルアクリレートベンジルクロライド第４級塩、ジメチルアミノエチルアクリレート硫酸塩、ジメチルアミノエチルアクリレート塩酸塩、ジメチルアミノエチルメタクリレートメチルクロライド第４級塩、ジメチルアミノエチルメタクリレートメチルサルフェート第４級塩、ジメチルアミノエチルメタクリレートベンジルクロライド第４級塩、ジメチルアミノエチルメタクリレート硫酸塩、ジメチルアミノエチルメタクリレート塩酸塩、ジアルキルアミノアルキルアクリルアミド又はメタクリルアミド及びそれらの第４級又は酸塩たとえばアクリルアミドプロピルトリメチルアンモニウムクロライド、ジメチルアミノプロピルアクリルアミドメチルサルフェート第４級塩、ジメチルアミノプロピルアクリルアミド硫酸塩、ジメチルアミノプロピルアクリルアミド塩酸塩、メタクリルアミドプロピルトリメチルアンモニウムクロライド、ジメチルアミノプロピルメタクリルアミドメチルサルフェート第４級塩、ジメチルアミノプロピルメタクリルアミド硫酸塩、ジメチルアミノプロピルメタクリルアミド塩酸塩、ジエチルアミノエチルアクリレート、ジエチルアミノエチルメタクリレート、ジアリルジエチルアンモニウムクロライド及びジアリルジメチルアンモニウムクロライド、マンニッヒ反応で変性されたポリアクリルアミド、ジアリルシクロヘキシルアミン塩酸塩（ＤＡＣＨＡ・ＨＣｌ）、ジアリルジメチルアンモニウムクロライド（ＤＡＤＭＡＣ）、ポリエチレンイミン（ＰＥＩ）、等を包含するがしかしそれらに限定されない。
【０１０７】
水溶性又は水分散性ポリマーは、水溶性又は水分散性であるポリマーを形成するようにエピクロロヒドリンジメチルアミンポリマー又は任意の他の段階ポリマー（エピクロロヒドリン、ジメチルアミン、エチレンジクロライド、アンモニア、メチルアミン、エチレンオキシド、プロピレンオキシド、アニリン−ホルムアルデヒド縮合物又は上記の成分の任意の混合物を含有する）のような物質と反応されたポリジアリルジメチルアンモニウムクロライド、ミョウバン、ポリ塩化アルミニウム、カチオン性デンプン、エピクロロヒドリン−ジメチルアミン、エチレンジクロライド−アンモニア、エチレンジクロライド−メチルアミン−アンモニア、エピクロロヒドリン−ジメチルアミン−エチレンオキシド−プロピレンオキシド及びアニリン−ホルムアルデヒドのように、物質の段階重合により形成され得る。
【０１０８】
カチオン性添加剤はまた、
【化１】
2007510828.tif 000002
〔ここで、
・Ｒ1及びＲ2は独立して、１０から２４個の炭素原子を有するアルキル、アルケニル又はβ−ヒドロキシアルキル基であり、
・Ｒ3、Ｒ4及びＲ5は独立して、１から８個の炭素原子を有するアルキル若しくはヒドロキシアルキル基、ベンジル基、又は式−−（ＡＯ）v−−Ｋ（ここで、ＡＯは２から４個の炭素原子を有するオキシアルキレン基を表し、Ｋは水素原子又はアシル基を表し、そしてｖは１から５０の整数である）により表される基であり、
・Ｒ6は、８から３６個の炭素原子を有するアルキル、アルケニル又はβ−ヒドロキシアルキル基を表し、
・Ｚは、対イオンを表し、
・Ｙ2は、８から３６個の炭素原子を有するアルキル、アルケニル若しくはβ−ヒドロキシアルキル基、式Ｒ6ＣＯＯＣＨ2−−（ここで、Ｒ6は上記に定義されたとおりである）により表される基、式Ｒ6ＣＯＮＨＣＨ2−−（ここで、Ｒ6は上記に定義されたとおりである）により表される基、又は式Ｒ6ＯＣＨ2−−（ここで、Ｒ6は上記に定義されたとおりである）により表される基を表し、
・Ｒ7、Ｒ8、Ｒ9は独立して、１から２４個の炭素原子を有するアルキル基又は２から２４個の炭素原子を有するアルケニル基であり、
・Ｒ10は、水素原子又はメチル基であり、
・Ｙ3は、Ｏ又はＮＨである〕
のようなモノマー又は分子であり得る。
【０１０９】
本発明の方法を実施する場合に添加剤がパルプ化段階中に系に導入されるとき、添加剤は、典型的には、約０．１＃／ｔから約３０＃／ｔ（紙料中の絶乾固形分（古紙）を基準として約０．００５ｗｔ％から約２ｗｔ％に換算される）の範囲にて添加される。その代わりに、添加剤は、約１＃／ｔから約１５＃／ｔ（紙料中の絶乾固形分を基準として約０．０５ｗｔ％から約０．７５ｗｔ％に換算される）の範囲にて添加され得る。
【０１１０】
本発明の方法を実施する場合に添加剤がフローテーション段階中又はフローテーション段階前に系に導入されるとき、添加剤は、典型的には、約０．０５＃／ｔから約１０＃／ｔ（紙料中の絶乾固形分を基準として約０．００２５ｗｔ％から約０．５ｗｔ％に換算される）の範囲にて添加される。フローテーション段階前又はフローテーション段階中に添加され得る添加剤の範囲の別の例は、約０．２＃／ｔから約５＃／ｔ（紙料中の絶乾固形分を基準として約０．０１ｗｔ％から約０．２５ｗｔ％に換算される）であり得る。
【０１１１】
本組成物及び本方法は、古新聞印刷用紙（「ＯＮＰ」）、古雑誌等級（「ＯＭＧ」）及び混合オフィス古紙（「ＭＯＷ」）のような再生利用古紙を脱インキするために特に有用である。界面活性剤配合物はＯＮＰ、ＯＭＧ及びそれらの配合物を脱インキするのに特に有用であり、そしてＯＮＰ対ＯＭＧの重量比が約９９：１から約１：９９一層好ましくは約２０：１から約３：２の範囲にあるＯＮＰとＯＭＧの配合物を脱インキするのにとりわけ有用である。
【０１１２】
提供される本方法に従って再生利用され得る例示的古紙は、いかなる非バージン紙、又は１種若しくは複数種の異物（インキ、染料着色剤、蛍光増白剤及び粘着物（接着剤、バインダー、プラスチックフィルム、コーティング膜、等を含めて粘着性異物）を包含するが、しかしそれらに限定されない）を含有するいかなる紙も包含する。古紙は、木材含有等級及び木材不含等級の紙をを包含し得るが、しかしそれらに限定されない。提供される具体的態様において用いられ得る古紙の非制限的例は、分別された又は分別されていないコンピュータープリントアウト紙（インクジェット又はレーザープリンターからのような）、コピー用紙、筆記用紙、上質紙、コーテッド及び非コーテッド雑誌紙、混合オフィス古紙、新聞印刷用紙、包装用板紙、プラスチックを含有する紙及び板紙を包含し、しかしてアルミニウム箔を含むゲーブルトップ型ミルク及びジュース用カートン、無菌包装材、ポリエチレンが被覆された、ポリエステルが被覆された若しくは複合層状の被覆物若しくは積層物、又は液体用包装材の製造操作からのスクラップを包含するが、しかしそれらに限定されない。
【０１１３】
本発明の配合物は、インキが除去され得る操作におけるいかなる時点においても添加され得る。かくして、配合物は最も普通にはパルプ化若しくはフローテーション段階中又はパルプ化若しくはフローテーション段階前に添加されるけれども、それはまた洗浄段階又は濃縮段階への紙料導入の直前に添加され得る。
【０１１４】
紙を再生利用するプロセスは、当該技術において知られたいかなる方法によっても遂行され得る。再生利用繊維を加工する公知手法は、とりわけ、再パルプ化（繊維のスラッシュ化及び繊維からのインキ／異物の部分的脱離）、粗選及び精選スクリーニング（サイズ及び形状による異物からの繊維の分離）、遠心除塵（繊維に関しての密度差に基づく分離及び機械的作用によるインキ／異物のサイズ低減）、フローテーション（空気気泡上への脱離インキ／異物の優先的吸着による分離）、洗浄（繊維を通過する水の相対的流れによる繊維からの小さい連行粒子の分離）及び精砕に分類され得る。脱インキパルプについての特定の清浄度要件に依存して、典型的に遭遇する粒子サイズ範囲をカバーするには、これらのプロセスのほとんど又はすべての組合わせを必要とする。
【０１１５】
提供される脱インキ方法は、インキの除去を容易にし得るいかなる温度においても行われ得る。適当な温度範囲の例は、約５℃から約７０℃である。適当な温度範囲の更なる例は、約２５℃から約６５℃である。適当な温度範囲の別の例は、３０℃から約６０℃である。
【０１１６】
提供される方法及び組成物は、慣用のパルプ化段階において用いられ得る。パルプ化工程中において、生じた繊維は本発明の組成物と接触される。この接触工程は、適当には、いかなる公知のパルプ化装置によっても、たとえば単に脱インキ剤をパルパーのスラリーに添加することにより行われ得る。これは、パルパーへの古紙の添加前又は添加後のどちらかにて行われ得る。その代わりに、接触は、パルプスラリーの掻き混ぜに備える別個の加工装置（たとえば混練機及び分散機のような）を用いて行われ得る。
【０１１７】
本発明において、脱インキ後のパルプの洗浄工程は、原料としての古紙からインキの主除去後にわずかなインキを除去する工程であり、そしてこの工程はフローテーション、等によるインキの除去により後続される。主要な脱インキ方法はフローテーション法及び洗浄法であり得、そしてかかる洗浄工程は各方法において行われ得る。フローテーション法において洗浄工程は通常フローテーション工程後に行われるけれども、全般脱インキ工程がパルプスラリーの洗浄工程又は濃縮工程を含む場合、脱インキ工程に含まれる洗浄工程又は濃縮工程において洗浄工程が行われ得るということは異議がない。たとえば、本発明は、パルプ化後又は混練若しくは漂白前の濃縮工程において有効である。全般脱インキ工程に複数の洗浄工程又は複数の濃縮工程がある場合において、本発明はまた、これらの複数の工程のいずれかにおいて又は洗浄工程若しくは濃縮工程のすべてにおいて有効である。本発明は、慣用の洗浄法又は洗浄若しくは濃縮工程に適用され得る。本発明において、洗浄工程は、パルプ化又はフローテーション後に適正なスクリーンメッシュを有するスクリーンを利用して水のいくらかを除去することによってパルプを濃縮することにより、あるいはパルプスラリーを洗浄するために追加の洗浄水を添加し、残存する除去されるインキをこの水中に分散しそして次いでパルプスラリーを濃縮するために上記に挙げられたのと同じやり方で洗浄水を除去することにより行われ得る。
【０１１８】
本脱インキ方法及び本組成物はまた、いかなる慣用のフローテーション法においても用いられ得る。原料としての古紙は離解装置中に置かれ、しかして離解するために該離解装置中に水酸化ナトリウム、ケイ酸ナトリウム、過酸化水素、等のようなアルカリ性成分及び漂白成分並びに水が添加される（離解工程）。必要なら、脱水（脱水工程）又は化学薬品混合が行われ、そして熟成が行われる。その後、水が添加されてパルプの濃度を薄め、そしてフローテーション処理が行われる（フローテーション工程）。熟成工程とフローテーション工程の間において、混練工程（分散）又は精砕工程もまた行われ得る。脱インキ後のパルプの洗浄は、適正なスクリーンサイズを有するスクリーンによってフローテーション後にパルプスラリーを濃縮することにより行われる（洗浄工程）。
【０１１９】
別の具体的態様において、提供される組成物及び方法は、慣用のアルカリ性脱インキプロセスにおいて用いられる。たとえば、第３の主要な具体的態様の方法及び第１の主要な具体的態様の組成物は、８．０を超えるいかなるｐＨにおいても用いられ得る。アルカリ性ｐＨ範囲の非制限的例は、約９から約１３の範囲にあり得る。アルカリ性ｐＨ範囲の更なる非制限的例は、約９から約１１であり得る。
【０１２０】
古紙パルプと脱インキ用組成物の接触時間は、本発明の目的にとって決定的には重要でない。しかしながら、約５分より多い接触時間が、脱インキ性能の観点から好ましい。プロセス効率の目的のために、接触時間の例は、約１０分から約１時間の範囲にあり得る。接触時間の更に更なる例は、約２０分から約５０分の範囲にある。
【０１２１】
本発明の他の具体的態様は、本明細書に開示された本発明の明細及び実施の考慮から当業者に明らかであろう。明細及び例は例示的にすぎないと考えられるよう意図されており、しかして本発明の真の範囲及び精神は添付の請求項により更に指摘される。
【０１２２】
実施例
実施例１〜３４は、脂肪酸成分及び脂肪アルコール成分を約５０℃まで温め、適切量を添加しそして均質になるまで激しく振とうすることにより製造された。サンプルは、次いで冷却されそして２２℃における安定性について監視された。
【０１２３】
実施例３５〜４８は、インペラー型混合装置の掻き混ぜ下で室温にて諸成分を均質になるまで混合することにより製造された。サンプルは、次いで冷却されそして２２℃における安定性について監視された。
【０１２４】
ライオンサーフ（Lionsurf）８８０、ライオンサーフ（Lionsurf）８９０及びライオンサーフ（Lionsurf）８８６は、Kemira Chemicals, Inc.から商業的に入手できる。
【０１２５】
実施例１
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）及びｃ）１５ｗｔ％の水を含有する配合物。
【０１２６】
実施例２
ａ）３８ｗｔ％の脂肪酸又は脂肪酸混合物（組成物の約６０ｗｔ％はＣ１６とＣ１８の間にあり、しかも平均して約３５ｗｔ％の不飽和脂肪酸を有する）、ｃ）４７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）及びｄ）１５ｗｔ％の水を含有する配合物。
【０１２７】
実施例３
ａ）３８ｗｔ％の脂肪酸又は脂肪酸混合物（組成物の約６６ｗｔ％はＣ１６とＣ１８の間にあり、しかも平均して約４５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）及びｃ）１５ｗｔ％の水を含有する配合物。
【０１２８】
実施例４
ａ）３８ｗｔ％の脂肪酸又は脂肪酸混合物（組成物の約７２ｗｔ％はＣ１６とＣ１８の間にあり、しかも平均して約５５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）及びｃ）１５ｗｔ％の水を含有する配合物。
【０１２９】
実施例５
ａ）３８ｗｔ％の脂肪酸又は脂肪酸混合物（組成物の約７７ｗｔ％はＣ１６とＣ１８の間にあり、しかも平均して約６５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）及びｃ）１５ｗｔ％の水を含有する配合物。
【０１３０】
実施例６
ａ）３７ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１０ｗｔ％のアルコキシル化トール油脂肪酸（平均して２５モルのオキシエチレン及び平均して２０モルのＰＯを有する）及びｄ）１６ｗｔ％の水を含有する配合物。
【０１３１】
実施例７
ａ）５０ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）１７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１７ｗｔ％のアルコキシル化トール油脂肪酸（平均して２５モルのオキシエチレン及び平均して２０モルのＰＯを有する）及びｄ）１６ｗｔ％の水を含有する配合物。
【０１３２】
実施例８
ａ）３７ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）２３．５ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）２３．５ｗｔ％のアルコキシル化トール油脂肪酸（平均して２５モルのオキシエチレン及び平均して２０モルのＰＯを有する）及びｄ）１６ｗｔ％の水を含有する配合物。
【０１３３】
実施例９
ａ）３７ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）１７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）３０ｗｔ％のアルコキシル化トール油脂肪酸（平均して２５モルのオキシエチレン及び平均して２０モルのＰＯを有する）及びｄ）１６ｗｔ％の水を含有する配合物。
【０１３４】
実施例１０
ａ）３２ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１５ｗｔ％のアルコキシル化トール油脂肪酸（平均して２５モルのオキシエチレン及び平均して２０モルのＰＯを有する）及びｄ）１６ｗｔ％の水を含有する配合物。
【０１３５】
実施例１１
ａ）３７ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１０ｗｔ％のアルコキシル化Ｃ１８脂肪アルコール（平均して７２モルのオキシエチレン及び平均して２４モルのＰＯを有する）及びｄ）１６ｗｔ％の水を含有する配合物。
【０１３６】
実施例１２
ａ）３７ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１７ｗｔ％のアルコキシル化Ｃ１８脂肪アルコール（平均して７２モルのオキシエチレン及び平均して２４モルのＰＯを有する）及びｄ）１６ｗｔ％の水を含有する配合物。
【０１３７】
実施例１３
ａ）３７ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）２５ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）２２ｗｔ％のアルコキシル化Ｃ１８脂肪アルコール（平均して７２モルのオキシエチレン及び平均して２４モルのＰＯを有する）及びｄ）１６ｗｔ％の水を含有する配合物。
【０１３８】
実施例１４
ａ）３２ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１５ｗｔ％のアルコキシル化Ｃ１８脂肪アルコール（平均して７２モルのオキシエチレン及び平均して２４モルのＰＯを有する）及びｄ）１６ｗｔ％の水を含有する配合物。
【０１３９】
実施例１５
ａ）３８ｗｔ％の脂肪酸又は脂肪酸混合物（組成物の約６０ｗｔ％はＣ１６とＣ１８の間にあり、しかも平均して約７５ｗｔ％の不飽和脂肪酸を有する）、ｂ）３７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１０ｗｔ％のアルコキシル化Ｃ１８脂肪アルコール（平均して７２モルのオキシエチレン及び平均して２４モルのＰＯを有する）及びｄ）１６ｗｔ％の水を含有する配合物。
【０１４０】
実施例１６
ａ）３８ｗｔ％の脂肪酸又は脂肪酸混合物（組成物の約６０ｗｔ％はＣ１６とＣ１８の間にあり、しかも平均して約７５ｗｔ％の不飽和脂肪酸を有する）、ｂ）３７ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）、ｃ）１０ｗｔ％のアルコキシル化トール油脂肪酸（平均して２５モルのオキシエチレン及び平均して２０モルのＰＯを有する）及びｄ）１６ｗｔ％の水を含有する配合物。
【０１４１】
実施例１７
例示的フローテーション用添加剤は、ａ）９０ｗｔ％のアルコキシル化Ｃ１８脂肪アルコール（平均して７２モルのオキシエチレン及び平均して２４モルのＰＯを有する）及びｄ）１０ｗｔ％の水を含有する配合物である。
【０１４２】
実施例１８
例示的フローテーション用添加剤は、ａ）９０ｗｔ％のアルコキシル化トール油脂肪酸（平均して２５モルのオキシエチレン及び平均して２０モルのＰＯを有する）及びｄ）１０ｗｔ％の水を含有する配合物である。
【０１４３】
実施例１９
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均１０モルのオキシエチレンを有する）及びｃ）１５ｗｔ％の水を含有する配合物。
【０１４４】
実施例２０
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均１５モルのオキシエチレンを有する）及びｃ）１５ｗｔ％の水を含有する配合物。
【０１４５】
実施例２１
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均３０モルのオキシエチレンを有する）及びｃ）１５ｗｔ％の水を含有する配合物。
【０１４６】
実施例２２
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均４０モルのオキシエチレンを有する）及びｃ）１５ｗｔ％の水を含有する配合物。
【０１４７】
実施例２３
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主としてＣ１８又はそれ以上を含有し、しかも脂肪アルコールの分子当たり平均１０モルのオキシエチレンを有する）及びｃ）１５ｗｔ％の水を含有する配合物。
【０１４８】
実施例２４
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１８又はそれ以上を含有し、しかも脂肪アルコールの分子当たり平均２０モルのオキシエチレンを有する）及びｃ）１５ｗｔ％の水を含有する配合物。
【０１４９】
実施例２５
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１６を含有し、しかも脂肪アルコールの分子当たり平均２０モルのオキシエチレンを有する）及びｃ）１５ｗｔ％の水を含有する配合物。
【０１５０】
実施例２６
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１２〜１４を含有し、しかも脂肪アルコールの分子当たり平均９モルのオキシエチレンを有する）及びｃ）１５ｗｔ％の水を含有する配合物。
【０１５１】
実施例２７
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１２〜１４を含有し、しかも脂肪アルコールの分子当たり平均１２モルのオキシエチレンを有する）及びｃ）１５ｗｔ％の水を含有する配合物。
【０１５２】
実施例２８
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１２〜１４を含有し、しかも脂肪アルコールの分子当たり平均１７モルのオキシエチレンを有する）及びｃ）１５ｗｔ％の水を含有する配合物。
【０１５３】
実施例２９
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１２〜１４を含有し、しかも脂肪アルコールの分子当たり平均２２モルのオキシエチレンを有する）及びｃ）１５ｗｔ％の水を含有する配合物。
【０１５４】
実施例３０
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１２〜１４を含有し、しかも脂肪アルコールの分子当たり平均３０モルのオキシエチレンを有する）及びｃ）１５ｗｔ％の水を含有する配合物。
【０１５５】
実施例３１
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主として約Ｃ１２〜１４を含有し、しかも脂肪アルコールの分子当たり平均４０モルのオキシエチレンを有する）及びｃ）１５ｗｔ％の水を含有する配合物。
【０１５６】
実施例３２
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化分枝状アルコール（ベース脂肪アルコールは主としてトリデシル単位を含有し、しかも脂肪アルコールの分子当たり平均４モルのオキシエチレンを有する）及びｃ）１５ｗｔ％の水を含有する配合物。
【０１５７】
実施例３３
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化分枝状アルコール（ベース脂肪アルコールは主としてトリデシル単位を含有し、しかも脂肪アルコールの分子当たり平均９モルのオキシエチレンを有する）及びｃ）１５ｗｔ％の水を含有する配合物。
【０１５８】
実施例３４
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化分枝状アルコール（ベース脂肪アルコールは主としてトリデシル単位を含有し、しかも脂肪アルコールの分子当たり平均１５モルのオキシエチレンを有する）及びｃ）１５ｗｔ％の水を含有する配合物。
【０１５９】
実施例３５
例示的フローテーション用添加剤は、ａ）１０ｗｔ％の低分子量高カチオン電荷密度ポリマー（エピクロロヒドリンとジメチルアミンの縮合から製造された）、ｂ）１２ｗｔ％のアルコキシル化トール油脂肪酸（平均して２５モルのオキシエチレン及び平均して２０モルのＰＯを有する）、ｃ）１６ｗｔ％のアルコキシル化ヒマシ油（平均して６０モルのオキシエチレン及び平均して２０モルのオキシプロピレンを有する）及びｄ）６２ｗｔ％の水を含有する配合物である。
【０１６０】
実施例３６
例示的フローテーション用添加剤は、ａ）５ｗｔ％の低分子量高カチオン電荷密度ポリマー（エピクロロヒドリンとジメチルアミンの縮合から製造された）、ｂ）１５ｗｔ％のアルコキシル化トール油脂肪酸（平均して２５モルのオキシエチレン及び平均して２０モルのＰＯを有する）、ｃ）１８ｗｔ％のアルコキシル化ヒマシ油（平均して６０モルのオキシエチレン及び平均して２０モルのオキシプロピレンを有する）及びｄ）６２ｗｔ％の水を含有する配合物である。
【０１６１】
実施例３７
例示的フローテーション用添加剤は、ａ）１５ｗｔ％の低分子量高カチオン電荷密度ポリマー（エピクロロヒドリンとジメチルアミンの縮合から製造された）、ｂ）１２ｗｔ％のアルコキシル化トール油脂肪酸（平均して２５モルのオキシエチレン及び平均して２０モルのＰＯを有する）、ｃ）１６ｗｔ％のアルコキシル化ヒマシ油（平均して６０モルのオキシエチレン及び平均して２０モルのオキシプロピレンを有する）及びｄ）５７ｗｔ％の水を含有する配合物である。
【０１６２】
実施例３８
例示的フローテーション用添加剤は、ａ）３０ｗｔ％のアルコキシル化トール油脂肪酸（平均して２５モルのオキシエチレン及び平均して２０モルのオキシプロピレンを有する）及びｂ）７０ｗｔ％の水を含有する配合物である。
【０１６３】
実施例３９
例示的フローテーション用添加剤は、ａ）３８ｗｔ％のアルコキシル化トール油脂肪酸（平均して２５モルのオキシエチレン及び平均して２０モルのオキシプロピレンを有する）及びｂ）６２ｗｔ％の水を含有する配合物である。
【０１６４】
実施例４０
例示的フローテーション用添加剤は、ａ）１５ｗｔ％の低分子量高カチオン電荷密度ポリマー（エピクロロヒドリンとジメチルアミンの縮合から製造された）、ｂ）３０ｗｔ％のアルコキシル化トール油脂肪酸（平均して２５モルのオキシエチレン及び平均して２０モルのＰＯを有する）及びｃ）５５ｗｔ％の水を含有する配合物である。
【０１６５】
実施例４１
例示的フローテーション用添加剤は、ａ）２５ｗｔ％のアルファ−オレフィンスルホネート、ｂ）２５ｗｔ％のエトキシル化ラウリルアルコール（平均３単位のＥＯを有する）、ｃ）２５ｗｔ％の低分子量高カチオン電荷密度ポリマー（エピクロロヒドリンとジメチルアミンの縮合から製造された）及びｄ）２５ｗｔ％のプロピレングリコールを含有する配合物である。
【０１６６】
実施例４２
例示的フローテーション用添加剤は、ａ）２５ｗｔ％のアルファ−オレフィンスルホネート、ｂ）２５ｗｔ％のエトキシル化ラウリルアルコール（平均３単位のＥＯを有する）、ｃ）２５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）及びｄ）２５ｗｔ％のプロピレングリコールを含有する配合物である。
【０１６７】
実施例４３
例示的フローテーション用添加剤は、ａ）２５ｗｔ％のナトリウムラウリルサルフェート、ｂ）２５ｗｔ％のエトキシル化ラウリルアルコール（平均３単位のＥＯを有する）、ｃ）２５ｗｔ％の低分子量高カチオン電荷密度ポリマー（エピクロロヒドリンとジメチルアミンの縮合から製造された）及びｄ）２５ｗｔ％のプロピレングリコールを含有する配合物である。
【０１６８】
実施例４４
例示的フローテーション用添加剤は、ａ）２７ｗｔ％のアルファ−オレフィンスルホネート、ｂ）２７ｗｔ％のエトキシル化ラウリルアルコール（平均３単位のＥＯを有する）、ｃ）２７ｗｔ％の低分子量高カチオン電荷密度ポリマー（エピクロロヒドリンとジメチルアミンの縮合から製造された）及びｄ）１９ｗｔ％のジプロピレングリコールを含有する配合物である。
【０１６９】
実施例４５
例示的フローテーション用添加剤は、ａ）３１ｗｔ％の低分子量高カチオン電荷密度ポリマー（エピクロロヒドリンとジメチルアミンの縮合から製造された）、ｂ）１２ｗｔ％のアルコキシル化トール油脂肪酸（平均して２５モルのオキシエチレン及び平均して２０モルのＰＯを有する）及びｃ）５７ｗｔ％の水を含有する配合物である。
【０１７０】
実施例４６
例示的フローテーション用添加剤は、ａ）２３ｗｔ％の低分子量高カチオン電荷密度ポリマー（エピクロロヒドリンとジメチルアミンの縮合から製造された）、ｂ）２０ｗｔ％のアルコキシル化トール油脂肪酸（平均して２５モルのオキシエチレン及び平均して２０モルのＰＯを有する）及びｃ）５７ｗｔ％の水を含有する配合物である。
【０１７１】
実施例４７
例示的フローテーション用添加剤は、ａ）２３ｗｔ％の低分子量高カチオン電荷密度ポリマー（エピクロロヒドリンとジメチルアミンの縮合から製造された）、ｂ）１２ｗｔ％のアルコキシル化トール油脂肪酸（平均して２５モルのオキシエチレン及び平均して２０モルのＰＯを有する）及びｃ）６５ｗｔ％の水を含有する配合物である。
【０１７２】
実施例４８
アルコキシル化線状アルコール（ベース脂肪アルコールは主として約Ｃ１８又はそれ以上を含有し、しかも脂肪アルコールの分子当たり平均２１モルのオキシエチレンを有する）。
【０１７３】
比較例としての先行技術処方物
比較例１〜４は、脂肪酸成分及び脂肪アルコール成分を約５０℃まで温め、適切量を添加しそして均質になるまで激しく振とうすることにより製造された。サンプルは、次いで冷却されそして２２℃における安定性について監視された。
【０１７４】
試験目的のために、比較例５〜７は約５５℃に加熱され、そして次いで５５℃の水を用いて５ｗｔ％溶液に形成された。
【０１７５】
比較例１
ａ）２０ｗｔ％の脂肪酸又は脂肪酸混合物（組成物の約６７ｗｔ％はＣ１２とＣ１４の間にありそして２０ｗｔ％より少ない脂肪酸がＣ１６又はそれ以上であり、しかも平均して約６ｗｔ％より少ない不飽和脂肪酸を有する）、ｂ）７０ｗｔ％のエトキシル化線状アルコール（ベース脂肪アルコールは主として約Ｃ１８を含有し、しかも脂肪アルコールの分子当たり平均４０モルのオキシエチレンを有する）及びｃ）１０ｗｔ％の水を含有する配合物。
【０１７６】
比較例２
ａ）２０ｗｔ％の脂肪酸又は脂肪酸混合物（組成物の約６７ｗｔ％はＣ１２とＣ１４の間にありそして２０ｗｔ％より少ない脂肪酸がＣ１６又はそれ以上であり、しかも平均して約６ｗｔ％より少ない不飽和脂肪酸を有する）、ｂ）７０ｗｔ％のエトキシル化線状アルコール（ベース脂肪アルコールは主として約Ｃ１８を含有し、しかも脂肪アルコールの分子当たり平均２１モルのオキシエチレンを有する）及びｃ）１０ｗｔ％の水を含有する配合物。
【０１７７】
比較例３
ａ）２０ｗｔ％の脂肪酸又は脂肪酸混合物（組成物の約６７ｗｔ％はＣ１２とＣ１４の間にありそして２０ｗｔ％より少ない脂肪酸がＣ１６又はそれ以上であり、しかも平均して約６ｗｔ％より少ない不飽和脂肪酸を有する）、ｂ）７０ｗｔ％のアルコキシル化脂肪アルコール（８０ｗｔ％より多いＣ１８で構成され、しかも脂肪アルコールの分子当たり平均１７モルのオキシエチレン及び平均１７モルのオキシプロピレンを有する）及びｃ）１０ｗｔ％の水を含有する配合物。
【０１７８】
比較例４
ａ）３８ｗｔ％の脂肪酸又は脂肪酸混合物（組成物の約６０ｗｔ％はＣ１６とＣ１８の間にあり、しかも平均して約３５ｗｔ％の不飽和脂肪酸を有する）、ｂ）４７ｗｔ％のアルコキシル化脂肪アルコール（８０ｗｔ％より多いＣ１８で構成され、しかも脂肪アルコールの分子当たり平均１７モルのオキシエチレン及び平均１７モルのオキシプロピレンを有する）及びｃ）１５ｗｔ％の水を含有する配合物。
【０１７９】
比較例５
８０ｗｔ％のＣ１８又はそれ以上で構成された脂肪酸であって、しかも脂肪酸の約８０ｗｔ％が飽和である脂肪酸。
【０１８０】
比較例６
８５ｗｔ％のＣ１８又はそれ以上で構成されしかも５５ｗｔ％の不飽和脂肪酸を有する脂肪酸配合物。
【０１８１】
比較例７
６０ｗｔ％のＣ１８又はそれ以上で構成されしかも２５ｗｔ％の不飽和脂肪酸を有する脂肪酸。
【０１８２】
Ａ．安定性
これらの安定性試験の結果は１週間後に記録され、そして表１に示されている。
【表１】
2007510828.tif 000003
【０１８３】
Ｂ．脱インキ性能
すべてのサンプルは試験のために、２５℃の水中の５ｗｔ％溶液を作りそして使用前に激しく振とうすることにより作製された。
【０１８４】
各実験がバラツキのない古紙供給物を有することを保証するように、古紙をシュレッダーで細断しそして一様に混合する。このシュレッダー細断古紙をパルパー中に置き、そして５ｗｔ％コンシステンシーを得るように規定温度の水を添加する。適宜に、他の添加剤をパルプ化前にパルパーに添加する。これらの添加剤は、脱インキ用助剤、ケイ酸ナトリウム、キレート化剤、塩化カルシウム及び過酸化物を包含し得るが、しかしそれらに限定されない。７分のパルプ化期間が与えられ、そして次いで紙料は洗浄式脱インキ又はフローテーション式脱インキのどちらかに備えられ得る。所望コンシステンシーを得るように、規定温度における所望量の水を添加する。
【０１８５】
フローテーション式脱インキの場合において、ウェムコ（Wemco）槽を用い、そしてパルプを規定時間脱インキする。次いで、生じたフローテーションアクセプトを用いて、ハウスバキュームに取り付けられているところのワットマン＃／ｔ４０のような濾紙を含有するブフナー濾過器を通じて濾過することにより３グラムの白色度パッドを作る。いくつかの場合において、フローテーションリジェクトを湿潤形態及び乾燥形態の両方において測定する。次いで、テクニブライト・マイクロ（Technibrite Micro）ＴＢ−１Ｃを用いて、乾燥白色度パッドを白色度及びＥＲＩＣについて評価する。
【０１８６】
洗浄式脱インキの場合において、規定温度の水を用いて、パルプを所望コンシステンシーに希釈する。次いで、適切量の水を除去することによりコンシステンシーを６ｗｔ％に増加し戻すように、生じたパルプを６０Ｍのメッシュスクリーンを通じて重力排水する。必要に応じて漸進的洗浄段階をシミュレートするために、このプロセスを反復的に繰り返す。次いで、加熱水を用いて生じた洗浄アクセプトを１ｗｔ％コンシステンシーに再構成しそしてこれを用いて、ハウスバキュームに取り付けられているところのワットマン＃／ｔ４０のような濾紙を含有するブフナー濾過器を通じて濾過することにより３グラムの白色度パッドを作る。次いで、テクニブライト・マイクロ（Technibrite Micro）ＴＢ−１Ｃを用いて、乾燥白色度パッドを白色度及びＥＲＩＣについて評価する。
【０１８７】
Ｃ．アルカリ性脱インキ
米国の工場から受け取られた古紙を用いて、パルプ化を遂行した。パルプ化の詳細は、８３ｗｔ％ＯＮＰ及び１７ｗｔ％ＯＭＧの完成紙料を作製するように先に記載されたとおりである。添加剤の投与量は、完成紙料の固形分の絶乾重量当たりの物質のポンドとして与えられる。この慣用のアルカリ性パルプ化は、１．３＃／ｔのＤＴＰＡ、３０＃／ｔの過酸化物、３１＃／ｔのケイ酸塩及び９のパルプ化ｐＨを与えるのに十分な苛性アルカリの添加後に行われた。パルプ化段階及びフローテーション段階の両方の前に、塩化カルシウムを用いて硬度は１８０ｐｐｍに調整された。パルプ化及びフローテーション中の温度は１１０°Ｆであった。フローテーションは、ウェムコ（Wemco）槽中において１ｗｔ％コンシステンシーにて２分間であった。パルプ化前又はフローテーション前の添加の探索は、この研究からのデータを含む表２に示されている。
【表２】
2007510828.tif 000004
【０１８８】
Ｄ．中性脱インキ
米国の工場から受け取られた古紙を用いて、パルプ化を遂行した。パルプ化の詳細は、水及び所望硬度への塩化カルシウムのみを用いて、８３ｗｔ％ＯＮＰ及び１７ｗｔ％ＯＭＧの完成紙料を作製するように先に記載されたとおりである。生じたｐＨは、測定して７．１であった。パルプ化段階及びフローテーション段階の両方の前に、塩化カルシウムを用いて硬度は１８０ｐｐｍに調整された。パルプ化及びフローテーション中の温度は１１０°Ｆであった。フローテーションは、ウェムコ（Wemco）槽中において１ｗｔ％コンシステンシーにて２分間であった。パルプ化前又はフローテーション前の添加の探索は、この研究からのデータを含む表３に示されている。１番目のものは、まさに前のデータ表においてように１．３＃／ｔのＤＴＰＡ、３０＃／ｔの過酸化物、３１＃／ｔのケイ酸塩及び９のパルプ化ｐＨを与えるのに十分な苛性アルカリの伝統的アルカリ性条件下で遂行された比較例である。
【表３】
2007510828.tif 000005
【０１８９】
Ｅ．中性脱インキ
米国において集められた古紙を用いて、パルプ化を遂行した。パルプ化の詳細は、水及び所望硬度への塩化カルシウムのみを用いて、８３ｗｔ％ＯＮＰ及び１７ｗｔ％ＯＭＧの完成紙料を作製するように先に記載されたとおりである。生じたｐＨは、測定して７．１であった。パルプ化段階及びフローテーション段階の両方の前に、塩化カルシウムを用いて硬度は１８０ｐｐｍに調整された。パルプ化及びフローテーション中の温度は１１０°Ｆであった。フローテーションは、ウェムコ（Wemco）槽中において１ｗｔ％コンシステンシーにて２分間であった。パルプ化前又はフローテーション前の添加の探索は、この研究からのデータを含む表４に示されている。
【表４】
2007510828.tif 000006
【０１９０】
Ｆ．低アルカリ脱インキ
カナダ国の工場から受け取られた古紙を用いて、低アルカリパルプ化を遂行した。パルプ化の詳細は、加熱水並びに１５＃／ｔのケイ酸ナトリウム及び２０＃／ｔの亜硫酸ナトリウムを用いて、７５ｗｔ％ＯＮＰ及び２５ｗｔ％ＯＭＧの完成紙料を作製するように先に記載されたとおりである。パルプ化段階及びフローテーション段階の両方の前に、塩化カルシウムを用いて硬度は１６０ｐｐｍに調整された。パルプ化及びフローテーション中の温度は４５℃であった。フローテーションは、ウェムコ（Wemco）槽中において１．２ｗｔ％コンシステンシーにて２分間であった。パルプ化前又はフローテーション前の添加の探索は、この研究からのデータを含む表５に示されている。アルカリ性制御は、２０＃／ｔのケイ酸ナトリウム、３３＃／ｔの過酸化水素、及び低アルカリ処理計画のために用いられたケイ酸ナトリウム及び亜硫酸ナトリウムの代わりにパルプ化ｐＨを１０．３にもたらすのに十分な水酸化ナトリウムを用いる。すべての実験は、１５＃／ｔの比較例５がパルパーに添加される。
【表５】
2007510828.tif 000007
【０１９１】
Ｇ．アルカリ性脱インキ
カナダ国の工場から受け取られた古紙を用いて、パルプ化を遂行した。パルプ化の詳細は、加熱水並びに２０＃／ｔのケイ酸ナトリウム、３３＃／ｔの過酸化水素及び測定して１０．３にパルプ化ｐＨをもたらすのに十分な水酸化ナトリウムを用いて、７５ｗｔ％ＯＮＰ及び２５ｗｔ％ＯＭＧの完成紙料を作製するように先に記載されたとおりである。パルプ化段階及びフローテーション段階の両方の前に、塩化カルシウムを用いて硬度は１６０ｐｐｍに調整された。パルプ化及びフローテーション中の温度は４５℃であった。フローテーションは、ウェムコ（Wemco）槽中において１．２ｗｔ％コンシステンシーにて２分間であった。パルプ化前又はフローテーション前の添加の探索は、この研究からのデータを含む表６に示されている。すべての実験は、１５＃／ｔの比較例５がパルパーに添加される。
【表６】
2007510828.tif 000008
【０１９２】
Ｈ．アルカリ性脱インキ
米国の工場から受け取られた古紙を用いて、パルプ化を遂行した。パルプ化の詳細は、加熱水並びに２０＃／ｔのケイ酸塩、２０＃／ｔの過酸化物、４＃／ｔのＤＴＰＡ及び測定して９．２のパルプ化中のｐＨを得るのに十分な苛性アルカリを用いて、７０ｗｔ％ＯＮＰ及び３０ｗｔ％ＯＭＧの完成紙料を作製するように先に記載されたとおりである。これらの試験中、硬度は自然に４０ｐｐｍになっていた。パルプ化及びフローテーション中の温度は１００°Ｆであった。フローテーションは、ウェムコ（Wemco）槽中において１．３ｗｔ％コンシステンシーにて２分間であった。パルプ化前又はフローテーション前の添加の探索は、この研究からのデータを含む表７に示されている。対照実験は、パルパーに対して６＃／ｔのライオンサーフ（Lionsurf）８８６を用いる。
【表７】
2007510828.tif 000009
【０１９３】
Ｉ．中性脱インキ
米国の工場から受け取られた古紙を用いて、パルプ化を遂行した。パルプ化の詳細は、加熱水を用いて、１００ｗｔ％ＯＮＰの完成紙料を作製するように先に記載されたとおりである。パルプ化中、塩化カルシウムを用いて硬度は１００ｐｐｍに調整された。完成紙料の生じたｐＨは、測定して７．２であった。パルプ化及び洗浄中の温度は１１０°Ｆであった。パルプは、３回の洗浄シーケンスを用いて処理された。対照実験は、パルパーに対して７＃／ｔのライオンサーフ（Lionsurf）８９０を用いる。結果は、表８に示されている。
【表８】
2007510828.tif 000010
【０１９４】
Ｊ．中性脱インキ
米国の工場から受け取られた古紙を用いて、パルプ化を遂行した。パルプ化の詳細は、水及び所望硬度への塩化カルシウムのみを用いて、７７ｗｔ％ＯＮＰ及び２３ｗｔ％ＯＭＧの完成紙料を作製するように先に記載されたとおりである。生じたｐＨは、測定して７．１であった。パルプ化段階及びフローテーション段階の両方の前に、塩化カルシウムを用いて硬度は１８０ｐｐｍに調整された。パルプ化及びフローテーション中の温度は１１８°Ｆであった。フローテーションは、ウェムコ（Wemco）槽中において１ｗｔ％コンシステンシーにて２分間であった。パルプ化前又はフローテーション前の添加の探索は、この研究からのデータを含む表９に示されている。
【表９】
2007510828.tif 000011
【０１９５】
Ｋ．中性脱インキ
米国の古紙を用いて、パルプ化を遂行した。パルプ化の詳細は、水及び所望硬度への塩化カルシウムのみを用いて、８３ｗｔ％ＯＮＰ及び１７ｗｔ％ＯＭＧの完成紙料を作製するように先に記載されたとおりである。生じたｐＨは、測定して７．１であった。パルプ化段階及びフローテーション段階の両方の前に、塩化カルシウムを用いて硬度は１８０ｐｐｍに調整された。パルプ化及びフローテーション中の温度は１１８°Ｆであった。フローテーションは、ウェムコ（Wemco）槽中において１ｗｔ％コンシステンシーにて２分間であった。パルプ化前又はフローテーション前の添加の探索は、この研究からのデータを含む表１０に示されている。すべての試験は活性脱インキ用助剤の合計１０＃／ｔの総添加にて遂行され、かくして活性成分の同一添加レベルを保証するために、処方物中の水は投与量の計算について差し引かれる。
【表１０】
2007510828.tif 000012
【０１９６】
実施例４９〜６３は、非アルコキシル化脂肪酸成分並びにアルコキシル化脂肪酸及び／又は脂肪アルコール成分を約５０℃まで温め、適切量を添加しそして均質になるまで激しく振とうすることにより製造された。サンプルは、次いで冷却されそして２２℃における安定性について監視された。
【０１９７】
実施例４９
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化脂肪酸（ベース脂肪酸は主として不飽和Ｃ１８を含有し、しかも脂肪酸の分子当たり平均９モルのオキシエチレンを有する）及びｃ）１５ｗｔ％の水を含有する配合物。
【０１９８】
実施例５０
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化脂肪酸（ベース脂肪酸は主として飽和Ｃ１８を含有し、しかも脂肪酸の分子当たり平均８モルのオキシエチレンを有する）及びｃ）１５ｗｔ％の水を含有する配合物。
【０１９９】
実施例５１
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化脂肪酸（ベース脂肪酸は主として飽和Ｃ１８を含有し、しかも脂肪酸の分子当たり平均１４モルのオキシエチレンを有する）及びｃ）１５ｗｔ％の水を含有する配合物。
【０２００】
実施例５２
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化脂肪酸（ベース脂肪酸は主として不飽和Ｃ１８を含有し、しかも脂肪酸の分子当たり平均１４モルのオキシエチレンを有する）及びｃ）１５ｗｔ％の水を含有する配合物。
【０２０１】
実施例５３
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化脂肪酸（ベース脂肪酸は主として飽和Ｃ１８を含有し、しかも脂肪酸の分子当たり平均２３モルのオキシエチレンを有する）及びｃ）１５ｗｔ％の水を含有する配合物。
【０２０２】
実施例５４
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化脂肪酸（ベース脂肪酸は主として不飽和Ｃ１８を含有し、しかも脂肪酸の分子当たり平均２３モルのオキシエチレンを有する）及びｃ）１５ｗｔ％の水を含有する配合物。
【０２０３】
実施例５５
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化脂肪酸（ベース脂肪酸は主として飽和Ｃ１８を含有し、しかも脂肪酸の分子当たり平均９モルのオキシエチレンを有する）及びｃ）１５ｗｔ％の水を含有する配合物。
【０２０４】
実施例５６
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化脂肪酸（ベース脂肪酸は主として不飽和Ｃ１８を含有し、しかも脂肪酸の分子当たり平均８モルのオキシエチレンを有する）及びｃ）１５ｗｔ％の水を含有する配合物。
【０２０５】
実施例５７
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化脂肪酸（ベース脂肪酸は主として不飽和Ｃ１８を含有し、しかも脂肪酸の分子当たり平均１４モルのオキシエチレンを有する）及びｃ）１５ｗｔ％の水を含有する配合物。
【０２０６】
実施例５８
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化脂肪酸（ベース脂肪酸は主として飽和Ｃ１８を含有し、しかも脂肪酸の分子当たり平均１４モルのオキシエチレンを有する）及びｃ）１５ｗｔ％の水を含有する配合物。
【０２０７】
実施例５９
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化脂肪酸（ベース脂肪酸は主として不飽和Ｃ１８を含有し、しかも脂肪酸の分子当たり平均２３モルのオキシエチレンを有する）及びｃ）１５ｗｔ％の水を含有する配合物。
【０２０８】
実施例６０
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化脂肪酸（ベース脂肪酸は主として飽和Ｃ１８を含有し、しかも脂肪酸の分子当たり平均２３モルのオキシエチレンを有する）及びｃ）１５ｗｔ％の水を含有する配合物。
【０２０９】
実施例６１
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主としてＣ１８を含有し、しかも脂肪アルコールの分子当たり平均２０モルのオキシエチレンを有する）及びｃ）１５ｗｔ％の水を含有する配合物。
【０２１０】
実施例６２
ａ）３８ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）４７ｗｔ％のアルコキシル化線状アルコール（ベース脂肪アルコールは主としてＣ１６を含有し、しかも脂肪アルコールの分子当たり平均２０モルのオキシエチレンを有する）及びｃ）１５ｗｔ％の水を含有する配合物。
【０２１１】
実施例６３
ａ）５５ｗｔ％の脂肪酸又は脂肪酸混合物（組成物の約８５ｗｔ％はＣ１６とＣ１８の間にあり、しかも平均して約７５ｗｔ％の不飽和脂肪酸を有する）、ｂ）３０ｗｔ％のアルコキシル化線状アルコール（ベース脂肪アルコールは主として約Ｃ１８又はそれ以上を含有し、しかも脂肪アルコールの分子当たり平均２１モルのオキシエチレンを有する）及びｃ）１５ｗｔ％の水を含有する配合物。
【０２１２】
Ｌ．安定性
これらの安定性試験の結果は１週間後に記録され、そして表１１に示されている。
【表１１】
2007510828.tif 000013
【０２１３】
Ｍ．脱インキ性能
すべてのサンプルは試験のために、２５℃の水中の５ｗｔ％溶液を作りそして使用前に激しく振とうすることにより作製された。
【０２１４】
各実験がバラツキのない古紙供給物を有することを保証するように、古紙をシュレッダーで細断しそして一様に混合する。このシュレッダー細断古紙をパルパー中に置き、そして５ｗｔ％コンシステンシーを得るように規定温度の水を添加する。適宜に、他の添加剤をパルプ化前にパルパーに添加する。これらの添加剤は、脱インキ用助剤、ケイ酸ナトリウム、キレート化剤、塩化カルシウム及び過酸化物を包含し得るが、しかしそれらに限定されない。７分のパルプ化期間が与えられ、そして次いで紙料は洗浄式脱インキ又はフローテーション式脱インキのどちらかに備えられ得る。所望コンシステンシーを得るように、規定温度における所望量の水を添加する。
【０２１５】
フローテーション式脱インキの場合において、ウェムコ（Wemco）槽を用い、そしてパルプを規定時間脱インキする。次いで、生じたフローテーションアクセプトを用いて、ハウスバキュームに取り付けられているところのワットマン＃／ｔ４０のような濾紙を含有するブフナー濾過器を通じて濾過することにより３グラムの白色度パッドを作る。いくつかの場合において、フローテーションリジェクトを湿潤形態及び乾燥形態の両方において測定する。次いで、テクニブライト・マイクロ（Technibrite Micro）ＴＢ−１Ｃを用いて、乾燥白色度パッドを白色度及びＥＲＩＣについて評価する。
【０２１６】
Ｎ．アルカリ性脱インキ
米国の工場から受け取られた古紙を用いて、パルプ化を遂行した。パルプ化の詳細は、７７ｗｔ％ＯＮＰ及び２３ｗｔ％ＯＭＧの完成紙料を作製するように先に記載されたとおりである。添加剤の投与量は、完成紙料の固形分の絶乾重量当たりの物質のポンドとして与えられる。この慣用のアルカリ性パルプ化は、２．４＃／ｔのＤＴＰＡ、１２．５＃／ｔの過酸化物、２５＃／ｔのケイ酸塩及び測定して９．２のパルプ化ｐＨを与えるのに十分な苛性アルカリの添加後に行われた。パルプ化段階及びフローテーション段階の両方の前に、塩化カルシウムを用いて硬度は１８０ｐｐｍに調整された。パルプ化及びフローテーション中の温度は１２０°Ｆであった。フローテーションは、ウェムコ（Wemco）槽中において１ｗｔ％コンシステンシーにて２分間であった。パルプ化前又はフローテーション前の添加の探索は、この研究からのデータを含む表１２に示されている。
【表１２】
2007510828.tif 000014
【０２１７】
Ｏ．中性脱インキ
米国の工場から受け取られた古紙を用いて、パルプ化を遂行した。パルプ化の詳細は、水及び所望硬度への塩化カルシウムのみを用いて、７７ｗｔ％ＯＮＰ及び２３ｗｔ％ＯＭＧの完成紙料を作製するように先に記載されたとおりである。生じたｐＨは、測定して７．４であった。パルプ化段階及びフローテーション段階の両方の前に、塩化カルシウムを用いて硬度は１８０ｐｐｍに調整された。パルプ化及びフローテーション中の温度は１２０°Ｆであった。フローテーションは、ウェムコ（Wemco）槽中において１ｗｔ％コンシステンシーにて２分間であった。パルプ化前又はフローテーション前の添加の探索は、この研究からのデータを含む表１３に示されている。
【表１３】
2007510828.tif 000015
【０２１８】
Ｐ．低アルカリ脱インキ
米国の工場から受け取られた古紙を用いて、低アルカリパルプ化を遂行した。パルプ化の詳細は、加熱水並びに２＃／ｔの水酸化ナトリウム及び２０＃／ｔの亜硫酸ナトリウムを用いて、７７ｗｔ％ＯＮＰ及び２３ｗｔ％ＯＭＧの完成紙料を作製するように先に記載されたとおりである。パルプ化段階及びフローテーション段階の両方の前に、塩化カルシウムを用いて硬度は１８０ｐｐｍに調整された。パルプ化及びフローテーション中の温度は１２０°Ｆであった。フローテーションは、ウェムコ（Wemco）槽中において１．０ｗｔ％コンシステンシーにて２分間であった。パルプ化前又はフローテーション前の添加の探索は、この研究からのデータを含む表１４に示されている。
【表１４】
2007510828.tif 000016
【０２１９】
Ｑ．アルカリ性脱インキ
米国の工場から受け取られた古紙を用いて、パルプ化を遂行した。パルプ化の詳細は、７７ｗｔ％ＯＮＰ及び２３ｗｔ％ＯＭＧの完成紙料を作製するように先に記載されたとおりである。添加剤の投与量は、完成紙料の固形分の絶乾重量当たりの物質のポンドとして与えられる。この慣用のアルカリ性パルプ化は、２．４＃／ｔのＤＴＰＡ、１２．５＃／ｔの過酸化物、２５＃／ｔのケイ酸塩及び測定して９．２のパルプ化ｐＨを与えるのに十分な苛性アルカリの添加後に行われた。パルプ化段階及びフローテーション段階の両方の前に、塩化カルシウムを用いて硬度は１８０ｐｐｍに調整された。パルプ化及びフローテーション中の温度は１２０°Ｆであった。フローテーションは、ウェムコ（Wemco）槽中において１ｗｔ％コンシステンシーにて２分間であった。パルプ化前又はフローテーション前の添加の探索は、この研究からのデータを含む表１５に示されている。
【表１５】
2007510828.tif 000017
【０２２０】
Ｒ．アルカリ性脱インキ
米国の工場から受け取られた古紙を用いて、パルプ化を遂行した。パルプ化の詳細は、８３ｗｔ％ＯＮＰ及び１７ｗｔ％ＯＭＧの完成紙料を作製するように先に記載されたとおりである。添加剤の投与量は、完成紙料の固形分の絶乾重量当たりの物質のポンドとして与えられる。この慣用のアルカリ性パルプ化は、１．３＃／ｔのＤＴＰＡ、３０＃／ｔの過酸化物、３１＃／ｔのケイ酸塩及び測定して９．２のパルプ化ｐＨを与えるのに十分な苛性アルカリの添加後に行われた。パルプ化段階及びフローテーション段階の両方の前に、塩化カルシウムを用いて硬度は１８０ｐｐｍに調整された。パルプ化及びフローテーション中の温度は１１０°Ｆであった。フローテーションは、ウェムコ（Wemco）槽中において１ｗｔ％コンシステンシーにて２分間であった。パルプ化前又はフローテーション前の添加の探索は、この研究からのデータを含む表１６に示されている。
【表１６】
2007510828.tif 000018
【国際調査報告】
2007510828.tif 000019